(57)【特許請求の範囲】
【請求項１】
ある機器に対するユーザの操作を監視する監視装置であって、
前記機器に対するユーザ操作がなされていない時間を計測するタイマ手段と、
前記タイマ手段による計測時間が、予め設定された時間を経過した場合、警告情報を発する警告手段と、
前記機器に対する複数の制御信号の各々について、当該制御信号が前記ユーザの操作によるものか、または前記ユーザの操作によらないものかを判断するための判断情報を記憶する判断情報記憶手段と、
前記機器の監視対象の処理部に対してある制御信号が入力された場合、前記判断情報に基づいて、当該制御信号が、前記ユーザの操作によるものか、または前記ユーザの操作によらないものかを判断する判断手段と、
入力された前記制御信号が前記ユーザの操作によるものであると判断された場合、前記タイマ手段による計測時間と、前記予め設定された時間との差を拡大し、入力された前記制御信号が前記ユーザの操作によらないものであると判断された場合、前記差を拡大しない警告タイミング調整手段と
を備えることを特徴とする監視装置。
【請求項２】
前記判断手段は、
前記機器において、自動的に発生する所定の制御信号が、前記監視対象の処理部に対して入力された場合は、前記判断情報に基づいて、当該制御信号が前記ユーザの操作によるものではないと判断する
ことを特徴とする請求項１に記載の監視装置。
【請求項３】
前記判断手段は、
前記機器において、タイマー機能により自動的に発生する所定の制御信号が、前記監視対象の処理部に対して入力された場合は、前記判断情報に基づいて、当該制御信号が前記ユーザの操作によるものでないと判断する
ことを特徴とする請求項２に記載の監視装置。
【請求項４】
前記判断手段は、
前記機器において、前記機器に接続された外部機器からの遠隔操作により、所定の制御信号が、前記監視対象の処理部に対して入力された場合、前記判断情報に基づいて、当該制御信号が前記ユーザの操作によるものであると判断する
ことを特徴とする請求項１から３のいずれか一項に記載の監視装置。
【請求項５】
前記判断手段は、
前記機器において、前記機器にネットワークを介して接続されたネットワーク機器からの遠隔操作により、所定の制御信号が、前記監視対象の処理部に対して入力された場合、前記判断情報に基づいて、当該制御信号が前記ユーザの操作によるものであると判断する
ことを特徴とする請求項１から４のいずれか一項に記載の監視装置。
【請求項６】
前記監視対象の処理部は、
受信放送の選局を行なう選局部であり、
前記判断手段は、
前記選局部に対して、ある選局操作を行わせるための制御信号が入力された場合、前記判断情報に基づいて、当該制御信号が、前記ユーザの操作によるものか、または前記ユーザの操作によらないものかを判断する
ことを特徴とする請求項１から５のいずれか一項に記載の監視装置。
【請求項７】
前記タイマ手段は、予め設定された時刻から、予め設定された別の時刻まで、前記機器に対するユーザ操作がなされていない時間を計測する
ことを特徴とする請求項１から６のいずれか一項に記載の監視装置。
【請求項８】
前記警告タイミング調整手段は、
入力された前記制御信号が前記ユーザの操作によるものであると判断された場合、前記タイマ手段による計測時間をリセットすることで前記差を拡大する
ことを特徴とする請求項１から７のいずれか一項に記載の監視装置。
【請求項９】
前記警告タイミング調整手段は、
入力された前記制御信号が前記ユーザの操作によるものであると判断された場合、前記予め設定された時間を所定時間分延長することで前記差を拡大する
ことを特徴とする請求項１から７のいずれか一項に記載の監視装置。
【請求項１０】
入力された前記制御信号が前記ユーザの操作によるものであると判断された場合、ユーザ操作が行なわれた旨の情報を発する発生手段
をさらに備えることを特徴とする請求項１から９のいずれか一項に記載の監視装置。
【請求項１１】
請求項１〜１０のいずれか一項に記載の監視装置を備えたことを特徴とするテレビジョン受像機。
【請求項１２】
第１の装置と、第２の装置とを備え、前記第１の装置に対するユーザの操作を監視する監視システムであって、
前記第１の装置は、
当該第１の装置が備える監視対象の処理部に対する制御信号の入力を監視する監視手段と、
前記監視対象の処理部に対してある制御信号が入力された場合、入力された制御信号を前記第２の装置へ送信する送信部と
を備え、
前記第２の装置は、
前記第１の装置に対するユーザ操作がなされていない時間を計測するタイマ手段と、
前記タイマ手段による計測時間が、予め設定された時間を経過した場合、警告情報を発する警告手段と、
前記第１の装置に対する複数の制御信号の各々について、当該制御信号が前記ユーザの操作によるものか、または前記ユーザの操作によらないものかを判断するための判断情報を記憶する判断情報記憶手段と、
前記第１の装置から送信された制御信号を受信する受信部と、
前記判断情報に基づいて、前記受信部によって受信された制御信号が、前記ユーザの操作によるものか、または前記ユーザの操作によらないものかを判断する判断手段と、
受信された前記制御信号が前記ユーザの操作によるものであると判断された場合、前記タイマ手段による計測時間と、前記予め設定された時間との差を拡大し、受信された前記制御信号が前記ユーザの操作によらないものであると判断された場合、前記差を拡大しない警告タイミング調整手段と
を備えることを特徴とする監視システム。
【請求項１３】
ある機器に対するユーザの操作を監視する監視方法であって、
前記機器に対するユーザ操作がなされていない時間を計測する計測工程と、
前記計測工程による計測時間が、予め設定された時間を経過した場合、警告情報を発する警告工程と、
前記機器に対する複数の制御信号の各々について、当該制御信号が前記ユーザの操作によるものか、または前記ユーザの操作によらないものかを判断するための判断情報を記憶させておく判断情報記憶工程と、
前記機器の監視対象の処理部に対してある制御信号が入力された場合、前記判断情報に基づいて、当該制御信号が、前記ユーザの操作によるものか、または前記ユーザの操作によらないものかを判断する判断工程と、
入力された前記制御信号が前記ユーザの操作によるものであると判断された場合、前記計測工程による計測時間と、前記予め設定された時間との差を拡大し、入力された前記制御信号が前記ユーザの操作によらないものであると判断された場合、前記差を拡大しない警告タイミング調整工程と
を備えることを特徴とする監視方法。
【請求項１４】
コンピュータを、
ある機器に対するユーザ操作がなされていない時間を計測するタイマ手段と、
前記タイマ手段による計測時間が、予め設定された時間を経過した場合、警告情報を発する警告手段と、
前記機器に対する複数の制御信号の各々について、当該制御信号が前記ユーザの操作によるものか、または前記ユーザの操作によらないものかを判断するための判断情報を記憶する判断情報記憶手段と、
前記機器の監視対象の処理部に対してある制御信号が入力された場合、前記判断情報に基づいて、当該制御信号が、前記ユーザの操作によるものか、または前記ユーザの操作によらないものかを判断する判断手段と、
入力された前記制御信号が前記ユーザの操作によるものであると判断された場合、前記タイマ手段による計測時間と、前記予め設定された時間との差を拡大し、入力された前記制御信号が前記ユーザの操作によらないものであると判断された場合、前記差を拡大しない警告タイミング調整手段と
して機能させるための監視プログラム。
【請求項１５】
請求項１４に記載の監視プログラムを記録しているコンピュータ読み取り可能な記録媒体。
【発明の詳細な説明】
【技術分野】
【０００１】
本発明は、ある機器に対するユーザ操作を監視し、このユーザに何らかの異常が生じたと判断した場合に、警告情報を発するようにした監視装置、テレビジョン受像機、監視システム、監視方法、監視プログラム、および監視プログラムを記録している記録媒体に関する。
【背景技術】
【０００２】
高齢者や障害者等の監視が必要となる者（以下、「監視対象者」と示す。）に何らの異常が生じた場合、その旨を介護者等の通知すべき者（以下、「通知対象者」と示す。）に対していち早く通知する必要がある。これにより、通知対象者は、監視対象者に生じた異常に対して、迅速に対応することができるからである。
【０００３】
そこで、特許文献１には、電気ポットの操作履歴から未操作期間を求め、未操作期間が予め定められている未操作設定期間を超過した場合には、監視対象者の情報を所定のメールアドレスへ送信する技術が開示されている。この技術によれば、監視対象者が何らかの原因で電気ポットを操作できない状況を、監視者が迅速に把握でき、その監視対象者宅または専門の監視者に連絡する等の対処も迅速に行うことができるとされている。
【０００４】
また、特許文献２には、家庭電気製品のリモコンから発せられた光信号を検出してから、安否確認時間内に再度上記光信号が検出されなかった場合、ホストコンピュータに生存確認必要信号を送信する技術が開示されている。この技術によれば、この送信結果に基づき、一人暮らしの老人に異変が発生したことが確認できるとされている。
【０００５】
また、特許文献３には、テレビジョン受像機に対する操作状況を監視し、これに基づいて、テレビ番組が視聴パターン通り視聴されているかを確認し、視聴パターン通り視聴されていなければ、例外状況が発生した旨を監視者用端末に送信する技術が開示されている。この技術によれば、視聴パターン通り視聴されていなければ、独居者に異変が生じた可能性があるとしており、このような状況になった場合に、例外状況が発生した旨をタイムラグなく監視者用端末に通知することができるとされている。
【先行技術文献】
【特許文献】
【０００６】
【特許文献１】特許第３１９３３６３号公報
【特許文献２】特開２０００−２９３７７４号公報
【特許文献３】特開２００９−７７３５１号公報
【発明の概要】
【発明が解決しようとする課題】
【０００７】
しかしながら、近年の家電製品等の機器においては、当該機器が備える操作ボタンやリモコン等の入力装置によらず、自動的に操作がなされる場合がある。例えば、タイマー機能により、予め設定した時刻に自動的に操作がなされる場合がある。この場合、上記特許文献１〜３の技術では、実際にはユーザによる操作（以下、「ユーザ操作」と示す。）が行われていないにもかかわらず、ユーザ操作が行われたと誤認識してしまう。この場合、実際には監視対象者に何らかの異常が生じていたにも関わらず、この異常を通知するための警告情報が通知対象者に通知されないといった事態が生じる。
【０００８】
また、当該機器に対して外部機器から遠隔操作がなされる場合がある。この場合、上記特許文献１〜３の技術では、実際にはユーザ操作が行われたにもかかわらず、ユーザ操作が行われていないと誤認識してしまう。この場合、実際には監視対象者に異常が生じていないにも関わらず、誤って警告情報が通知対象者に通知されてしまうといった事態が生じる。
【０００９】
このように、上記特許文献１〜３の技術では、機器が備える入力装置によらない操作が行われるような場合は、ユーザ操作が行われたか否かを、適確に把握することができない。
【００１０】
本発明の目的は、ある機器に対するユーザ操作を監視し、この機器に対してユーザ操作が行われたか否かを、より適確に判断することで、より適切なタイミングで警告情報を発することにある。
【課題を解決するための手段】
【００１１】
本発明に係る監視装置は、ある機器に対するユーザの操作を監視する監視装置であって、前記機器に対するユーザ操作がなされていない時間を計測するタイマ手段と、前記タイマ手段による計測時間が、予め設定された時間を経過した場合、警告情報を発する警告手段と、前記機器に対する複数の制御信号の各々について、当該制御信号が前記ユーザの操作に起因するものか否かを判断するための判断情報を記憶する判断情報記憶手段と、前記機器の監視対象の処理部に対してある制御信号が入力された場合、前記判断情報に基づいて、当該制御信号が、前記ユーザの操作に起因するものか否かを判断する判断手段と、入力された前記制御信号が前記ユーザの操作に起因するものであると判断された場合、前記タイマ手段による計測時間と、前記予め設定された時間との差を拡大し、入力された前記制御信号が前記ユーザの操作に起因するものでないと判断された場合、前記差を拡大しない警告タイミング調整手段とを備えることを特徴とする。
【００１２】
この特徴により、入力された制御信号が、ユーザーの操作に起因するものであるか否かを、判断情報に基づいて適確に判断することができる。これにより、例えば、自動的に発生した制御信号が入力された場合に、誤ってタイマ手段による計測時間がリセットされてしまい、実際にはユーザに何らかの異常事態が生じているにも関わらず、警告情報が発せられないといった事態を回避することができる。また、外部機器に対するユーザ操作によって発生した制御信号が入力された場合に、誤ってタイマ手段による計測時間がリセットされず、実際にはユーザに何らかの異常事態が生じていないにも関わらず、警告情報を発してしまうといった事態を回避することができる。このように、本発明によれば、監視装置に対して入力された様々な制御信号について、より適確に、当該制御信号がユーザ操作に起因するものか否かを判断することができる。すなわち、監視装置に対するユーザ操作が行われたか否かを、より適確に判断することできるので、より適切なタイミングで警告情報を発することができる。
【００１３】
なお、本発明に係る監視装置では、前記判断手段は、前記機器において、自動的に発生する所定の制御信号が、前記監視対象の処理部に対して入力された場合は、前記判断情報に基づいて、当該制御信号が前記ユーザの操作に起因するものではないと判断することが好ましい。
【００１４】
この特徴により、ユーザ操作に起因するものと誤って判断されやすい、自動的に発生する制御信号が入力された場合についても、この制御信号がユーザ操作に起因しないものであると判断することができる。
【００１５】
また、本発明に係る監視装置では、前記判断手段は、前記機器において、タイマー機能により自動的に発生する所定の制御信号が、前記監視対象の処理部に対して入力された場合は、前記判断情報に基づいて、当該制御信号が前記ユーザの操作に起因するものでないと判断することが好ましい。
【００１６】
この特徴により、ユーザ操作に起因するものと誤って判断されやすい、タイマー機能によって自動的に発生する制御信号についても、この制御信号がユーザ操作に起因しないものであると判断することができる。
【００１７】
また、本発明に係る監視装置では、前記判断手段は、前記機器において、前記機器に接続された外部機器からの遠隔操作により、所定の制御信号が、前記監視対象の処理部に対して入力された場合、前記判断情報に基づいて、当該制御信号が前記ユーザの操作に起因するものであると判断することが好ましい。
【００１８】
この特徴により、ユーザ操作に起因しないものと誤って判断されやすい、外部機器からの遠隔操作によって入力された制御信号についても、この制御信号がユーザ操作に起因するものであると判断することができる。
【００１９】
また、本発明に係る監視装置では、前記判断手段は、前記機器において、前記機器にネットワークを介して接続されたネットワーク機器からの遠隔操作により、所定の制御信号が、前記監視対象の処理部に対して入力された場合、前記判断情報に基づいて、当該制御信号が前記ユーザの操作に起因するものであると判断することが好ましい。
【００２０】
この特徴により、ユーザ操作に起因しないものと誤って判断されやすい、ネットワーク機器からの遠隔操作によって入力された制御信号についても、この制御信号がユーザ操作に起因するものであると判断することができる。
【００２１】
また、本発明に係る監視装置では、前記監視対象の処理部は、受信放送の選局を行なう選局部であり、前記判断手段は、前記選局部に対して、ある選局操作を行わせるための制御信号が入力された場合、前記判断情報に基づいて、当該制御信号が、前記ユーザの操作に起因するものか否かを判断することが好ましい。
【００２２】
この特徴により、ユーザ操作だけでなくユーザ操作以外の操作によっても多用される選局操作についても、この選局操作がユーザ操作に起因するものか否かを適確に判断することができる。
【００２３】
また、本発明に係る監視装置では、前記タイマ手段は、予め設定された時刻から、予め設定された別の時刻まで、前記機器に対するユーザ操作がなされていない時間を計測することが好ましい。
【００２４】
また、本発明に係る監視装置では、前記警告タイミング調整手段は、入力された前記制御信号が前記ユーザの操作に起因するものであると判断された場合、前記タイマ手段による計測時間をリセットすることで前記差を拡大することが好ましい。
【００２５】
また、本発明に係る監視装置では、前記警告タイミング調整手段は、入力された前記制御信号が前記ユーザの操作に起因するものであると判断された場合、前記予め設定された時間を所定時間分延長することで前記差を拡大することが好ましい。
【００２６】
また、本発明に係る監視装置では、入力された前記制御信号が前記ユーザの操作に起因するものであると判断された場合、ユーザ操作が行なわれた旨の情報を発する発生手段をさらに備えることが好ましい。
【００２７】
この特徴により、通知対象者に対して、監視対象者に異常が生じたか否かを、より適確に通知することができる。
【００２８】
また、本発明に係るテレビジョン受像機は、上記のいずれかに記載の監視装置を備えたことを特徴とする。
【００２９】
この特徴により、本発明に係るテレビジョン受像機は、上記の各監視装置が奏する効果と同様の効果を奏することができる。
【００３０】
また、本発明に係る監視システムは、第１の装置と、第２の装置とを備え、前記第１の装置に対するユーザの操作を監視する監視システムであって、前記第１の装置は、当該第１の装置が備える監視対象の処理部に対する制御信号の入力を監視する監視手段と、前記監視対象の処理部に対してある制御信号が入力された場合、入力された制御信号を前記第２の装置へ送信する送信部とを備え、前記第２の装置は、前記第１の装置に対するユーザ操作がなされていない時間を計測するタイマ手段と、前記タイマ手段による計測時間が、予め設定された時間を経過した場合、警告情報を発する警告手段と、前記第１の装置に対する複数の制御信号の各々について、当該制御信号が前記ユーザの操作に起因するものか否かを判断するための判断情報を記憶する判断情報記憶手段と、前記第１の装置から送信された制御信号を受信する受信部と、前記判断情報に基づいて、前記受信部によって受信された制御信号が、前記ユーザの操作に起因するものか否かを判断する判断手段と、受信された前記制御信号が前記ユーザの操作に起因するものであると判断された場合、前記タイマ手段による計測時間と、前記予め設定された時間との差を拡大し、受信された前記制御信号が前記ユーザの操作に起因するものでないと判断された場合、前記差を拡大しない警告タイミング調整手段とを備えることを特徴とする。
【００３１】
本発明によれば、監視装置に対して入力された様々な制御信号について、より適確に、当該制御信号がユーザ操作に起因するものか否かを判断することができる。すなわち、監視装置に対するユーザ操作が行われたか否かを、より適確に判断することできるので、より適切なタイミングで警告情報を発することができる。
【００３２】
また、本発明に係る監視方法は、ある機器に対するユーザの操作を監視する監視方法であって、前記機器に対するユーザ操作がなされていない時間を計測する計測工程と、前記計測工程による計測時間が、予め設定された時間を経過した場合、警告情報を発する警告工程と、前記機器に対する複数の制御信号の各々について、当該制御信号が前記ユーザの操作に起因するものか否かを判断するための判断情報を記憶させておく判断情報記憶工程と、前記機器の監視対象の処理部に対してある制御信号が入力された場合、前記判断情報に基づいて、当該制御信号が、前記ユーザの操作に起因するものか否かを判断する判断工程と、入力された前記制御信号が前記ユーザの操作に起因するものであると判断された場合、前記計測工程による計測時間と、前記予め設定された時間との差を拡大し、入力された前記制御信号が前記ユーザの操作に起因するものでないと判断された場合、前記差を拡大しない警告タイミング調整工程とを備えることを特徴とする。
【００３３】
本発明によれば、監視装置に対して入力された様々な制御信号について、より適確に、当該制御信号がユーザ操作に起因するものか否かを判断することができる。すなわち、監視装置に対するユーザ操作が行われたか否かを、より適確に判断することできるので、より適切なタイミングで警告情報を発することができる。
【００３４】
また、本発明に係る監視プログラムは、コンピュータを、ある機器に対するユーザ操作がなされていない時間を計測するタイマ手段と、前記タイマ手段による計測時間が、予め設定された時間を経過した場合、警告情報を発する警告手段と、前記機器に対する複数の制御信号の各々について、当該制御信号が前記ユーザの操作に起因するものか否かを判断するための判断情報を記憶する判断情報記憶手段と、前記機器の監視対象の処理部に対してある制御信号が入力された場合、前記判断情報に基づいて、当該制御信号が、前記ユーザの操作に起因するものか否かを判断する判断手段と、入力された前記制御信号が前記ユーザの操作に起因するものであると判断された場合、前記タイマ手段による計測時間と、前記予め設定された時間との差を拡大し、入力された前記制御信号が前記ユーザの操作に起因するものでないと判断された場合、前記差を拡大しない警告タイミング調整手段として機能させるための監視プログラムである。
【００３５】
この監視プログラムをコンピュータに実行させることにより、監視装置に対して入力された様々な制御信号について、より適確に、当該制御信号がユーザ操作に起因するものか否かを判断することができる。すなわち、監視装置に対するユーザ操作が行われたか否かを、より適確に判断することできるので、より適切なタイミングで警告情報を発することができる。
【００３６】
また、本発明に係る記録媒体は、上記に記載の監視プログラムを記録しているコンピュータ読み取り可能な記録媒体である。
【００３７】
この記録媒体に記録されている監視プログラムをコンピュータに実行させることにより、監視装置に対して入力された様々な制御信号について、より適確に、当該制御信号がユーザ操作に起因するものか否かを判断することができる。すなわち、監視装置に対するユーザ操作が行われたか否かを、より適確に判断することできるので、より適切なタイミングで警告情報を発することができる。
【発明の効果】
【００３８】
本発明に係る監視対象者を監視する監視装置、テレビジョン受像機、監視システム、監視方法、監視プログラム、および記録媒体によれば、ある機器に対して、ある制御信号が入力された場合に、当該制御信号が、ユーザの操作に起因するものか否かを判断し、入力された制御信号がユーザの操作に起因するものであると判断された場合、タイマ手段による計測時間をリセットすることとした。これにより、外部機器からの遠隔操作や、タイマーによる自動操作等、入力装置以外による操作がなされた場合であっても、これらの操作がユーザの操作によるものか否かを、より適確に判断することができる。したがって、より適切なタイミングで警告情報を発することができる。
【図面の簡単な説明】
【００３９】
【図１】実施形態１に係る監視システムのシステム構成を示す図である。
【図２】実施形態１に係るテレビ１００（本体１０２）のハードウェア構成を示すブロック図である。
【図３】実施形態１に係るテレビ１００の機能構成を示すブロック図である。
【図４】実施形態１に係るテレビ１００による監視処理の手順を示すフローチャートである。
【図５】実施形態１に係るテレビ１００が扱う判断情報の一例を示す図である。
【図６】実施形態１に係るテレビ１００が扱う判断情報の一例を示す図である。
【図７】実施形態２に係る監視システムのシステム構成を示す図である。
【図８】実施形態２に係るレコーダー８００（本体８０２）のハードウェア構成を示すブロック図である。
【図９】実施形態２に係るレコーダー８００の機能構成を示すブロック図である。
【図１０】実施形態２に係るレコーダー８００による監視処理の手順を示すフローチャートである。
【図１１】実施形態２に係るレコーダー８００が扱う判断情報の一例を示す図である。
【図１２】実施形態３に係る監視システムのシステム構成を示す図である。
【図１３】実施形態３に係るテレビ１００および通知サーバ１１００の機能構成を示すブロック図である。
【図１４】実施形態３に係るテレビ１００および通知サーバ１１００による監視処理の手順を示すシーケンス図である。
【発明を実施するための形態】
【００４０】
以下、本発明の一実施形態に係る監視システムについて、図面を用いて説明する。
【００４１】
（実施形態１）
まず、本発明に係る監視システムの実施形態１について説明する。図１は、実施形態１に係る監視システムのシステム構成を示す図である。図１に示す監視システム１０は、テレビ１００、通知サーバ１１０、および通知先端末１２０を備える。テレビ１００、通知サーバ１１０、および通知先端末１２０のそれぞれは、インターネットやホームネットワーク等の、ネットワーク１３０に接続されている。
【００４２】
テレビ１００は、当該テレビ１００に対するユーザの操作を監視する監視装置の一例である。本実施形態では、監視装置として、各種画像の表示および各種音声の出力を行う、いわゆるテレビ受像器であるテレビ１００を採用している。テレビ１００が表示する画像としては、外部機器によって再生された動画データおよび静止画データによるもの、各種チューナで受信された動画データおよび静止画データによるもの、外部端子から入力された動画データおよび静止画データによるもの、当該テレビ１００に挿入、接続、または内蔵された各種記録メディアに記録され、当該テレビ１００によって再生された動画データおよび静止画データによるもの、等が挙げられる。テレビ１００が出力する音声としては、上記した各種動画データに含まれている音声データによるものが挙げられる。テレビ１００は、楽曲データ等の音声データが単独で再生された場合は、画像の表示を伴わず、音声を単独で出力することもできる。
【００４３】
テレビ１００としては、液晶テレビ、プラズマテレビ、有機ＥＬテレビ、ブラウン管テレビ等が挙げられる。また、テレビ１００としては、例えばＨＤＤ（Hard disk drive）レコーダー内蔵テレビ、ＨＤＤプレーヤー内蔵テレビ、ＤＶＤ（Digital Versatile Disc）レコーダー内蔵テレビ、ＤＶＤプレーヤー内蔵テレビ、ＢＤ（Blu-ray Disc）レコーダー内蔵テレビ、ＢＤプレーヤー内蔵テレビ等が挙げられる。本実施形態では、テレビ１００として、ＢＤレコーダーおよびＨＤＤレコーダー内蔵の液晶テレビを採用している。
【００４４】
テレビ１００は、本体１０２およびリモコン１０４を有する。テレビ１００は、入力装置として、リモコン１０４だけでなく、本体１０２の外面に設けられた操作ボタン１０６を有する。例えば、テレビ１００のユーザ（すなわち、監視対象者）は、リモコン１０４又は操作ボタン１０６を操作することによって、テレビ１００に対して、視聴するチャンネルを切り替える等の操作を行うことができる。
【００４５】
ここで、テレビ１００の監視機能について説明する。テレビ１００は、予め設定された時間の間、当該テレビ１００に対する操作が行われたか否かによって、監視対象者に異常が生じたか否かを判断する。テレビ１００は、監視対象者に異常が生じたと判断すると、アラートを発する。この例では、テレビ１００は、アラートを、通知サーバ１１０へ送信する。
【００４６】
通知サーバ１１０は、監視対象者に何らかの異常が生じたことを通知対象者に通知する装置である。具体的には、通知サーバ１１０は、テレビ１００から送信されてきたアラートを受け取ると、このテレビ１００に予め対応付けられているメールアドレスに対して、監視対象者に何らかの異常が生じた旨が示された電子メール（以下、「アラートメール」と示す。）を送信する。この例では、テレビ１００には、通知先端末１２０のメールアドレスが予め対応付けられている。したがって、通知サーバ１１０は、テレビ１００から送信されてきたアラートを受け取ると、上記アラートメールを通知先端末１２０へ送信する。本実施形態では、通知サーバ１１０として、サーバ専用機を採用しているが、これに限らず、パーソナル・コンピュータ等を採用しても良い。
【００４７】
通知先端末１２０は、監視対象者の介護者等の通知対象者が利用する装置である。この例では、通知先端末１２０は、パーソナル・コンピュータ１２２および携帯電話１２４を含んでいる。通知対象者は、通知サーバ１１０からパーソナル・コンピュータ１２２又は携帯電話１２４に送られてきたアラートメールによって、監視対象者に何らかの異常が生じたことを知ることができる。
【００４８】
（外部機器およびネットワーク機器）
テレビ１００には、当該テレビ１００の遠隔操作が可能な外部機器が接続されている。例えば、図１に示すように、テレビ１００には、外部機器の一例として、レコーダー１５２が接続されている。レコーダー１５２は、各種動画データおよび各種音声データを録画及び再生する、いわゆる録画再生機器である。
【００４９】
レコーダー１５２によって録画及び再生される動画データとしては、各種チューナで受信された動画データ、外部端子から入力された動画データ、当該レコーダー１５２に挿入、接続、または内蔵された各種記録メディアに記録されている動画データ等が挙げられる。また、レコーダー１５２によって録画及び再生される音声データとしては、上記した各種動画データに含まれている音声データが挙げられる。レコーダー１５２は、楽曲データ等の音声データを単独で録画および再生することもできる。レコーダー１５２としては、例えばＨＤＤレコーダー、ＤＶＤレコーダー、ＢＤレコーダー等が挙げられる。
【００５０】
本実施形態では、レコーダー１５２として、テレビ１００の遠隔操作が可能なＨＤＭＩ（High-Definition Multimedia Interface）機器を採用している。テレビ１００とレコーダー１５２とは、ＨＤＭＩケーブルで接続されている。例えば、レコーダー１５２は、ＨＤＭＩケーブルを介して、ＨＤＭＩ規格で規定されている、相互機器制御を実現するためのＣＥＣ（Consumer Electronics Control）制御信号をテレビ１００へ送信することにより、テレビ１００を遠隔操作する。
【００５１】
また、テレビ１００には、ネットワーク１３０を介して、当該テレビ１００の遠隔操作が可能なネットワーク機器が接続されている。例えば、図１に示すように、テレビ１００には、ネットワーク機器の一例として、パーソナル・コンピュータ１５４および携帯電話１５６が接続されている。パーソナル・コンピュータ１５４および携帯電話１５６は、いずれもテレビ１００の遠隔操作が可能な機器である。例えば、パーソナル・コンピュータ１５４は、ネットワーク１３０を介して、ＤＬＮＡ（Digital Living Network Alliance）コントロール信号をテレビ１００へ送信することにより、テレビ１００を遠隔操作する。すなわち、テレビ１００は、ＤＬＮＡ規格で言うところの、ＤＭＲ（Digital Media Renderer）としての役割を担う。また、パーソナル・コンピュータ１５４は、ＤＬＮＡ規格で言うところの、ＤＭＣ（Digital Media Controller）としての役割を担う。テレビ１００によって再生されるコンテンツを格納する装置（すなわち、ＤＬＮＡ規格で言うところの、ＤＭＳ（Digital Media Server）としての役割を担う装置）は、テレビ１００自身であっても良く、パーソナル・コンピュータ１５４や、コンテンツサーバ等、テレビ１００の外部に設けられた装置であっても良い。一方、携帯電話１５６は、ネットワーク１３０を介して、ＩＰコントロール信号をテレビ１００へ送信することにより、テレビ１００を遠隔操作する。
【００５２】
（テレビ１００の動作）
ここで、テレビ１００が監視対象者の異常を検出し、アラートを発する仕組みについて説明する。例えば、テレビ１００において、リモコン１０４や操作ボタン１０６の操作により、チャンネルを切り替える操作が行われずに、予め設定された時間（以下、「設定時間」と示す。）が経過したとする。この場合、テレビ１００は、監視対象者に異常が生じたと判断し、アラートを発する。反対に、設定時間が経過する前に、テレビ１００において、リモコン１０４や操作ボタン１０６の操作により、チャンネルを切り替える操作が行われたとする。この場合、テレビ１００は、監視対象者に異常が生じていないと判断し、アラートを発しない。
【００５３】
ここで、テレビ１００において、チャンネルを切り替える操作は、リモコン１０４及び操作ボタン１０６によるものに限らない。例えば、タイマーにより、自動的にチャンネルの切り替え操作が行われる場合がある。この場合、ユーザによる操作が行われず、チャンネルの切り替え操作が行われたと言える。また、ネットワーク機器からの遠隔操作により、チャンネルの切り替え操作が行われる場合がある。この場合は、ユーザ操作が行われ、チャンネルの切り替え操作が行われたと言える。
【００５４】
このように、入力装置以外による操作は、ユーザ操作によるものと、ユーザ操作によらないものとを含んでいる。このため、単にテレビ１００に対して操作が行われたというだけでは、ユーザ操作が行われたか否かを判断することが容易ではない。すなわち、監視対象者に異常が生じているのか否かを適確に判断することが容易ではない。
【００５５】
そこで、本実施形態のテレビ１００は、当該テレビ１００に対してある操作指示がなされた場合、その操作指示の内容に応じて、ユーザ操作が行われたか否かを判断するのである。これにより、本実施形態のテレビ１００は、ユーザ操作が行われたか否かをより適確に判断することができる。すなわち、監視対象者に異常が生じているのか否かを適確に判断することができるのである。
【００５６】
（テレビ１００のハードウェア構成）
図２は、実施形態１に係るテレビ１００（本体１０２）のハードウェア構成を示すブロック図である。テレビ１００は、図２に示すように、外部入力端子２０１、地上デジタル放送チューナ２０２、衛星放送チューナ２０３、録画再生部２０４、ＢＤドライブ２０５、映像セレクタ２０６、映像処理回路２０７、ＯＳＤ（On-Screen Display）生成部２０８、ＬＣＤ（Liquid Crystal Display）コントローラ２０９、ＬＣＤ２１０、音声セレクタ２１１、音声処理回路２１２、アンプ２１３、スピーカ２１４、外部機器インターフェース２１５、ＲＯＭ２１６、ＲＡＭ２１７、ＣＰＵ２１８、赤外線受光部２１９、通信インターフェース２２０、および、ＨＤドライブ２２１を備えている。図２においては、映像信号の経路を実線で、音声信号の経路を一点鎖線で、データや制御信号の経路（バス）を太線で示している。
【００５７】
外部入力端子２０１は、映像入力端子２０１ａと音声入力端子２０１ｂとを含む。映像入力端子２０１ａは、映像信号を入力するためのものであり、例えば、ＤＶＩ端子である。音声入力端子２０１ｂは、音声信号を入力するためのものであり、例えば、Ｓ／ＰＤＩＦ端子である。ただし、外部入力端子２０１は、これに限定されず、映像入力端子２０１ａと音声入力端子２０１ｂとが一体化されたＨＤＭＩ端子等であってもよい。
【００５８】
地上デジタル放送チューナ２０２は、地上デジタル放送により放送される放送番組を受信するためのチューナである。地上デジタル放送チューナ２０２は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００５９】
地上デジタル放送チューナ２０２により復調されたＭＰＥＧ２ストリームは、バスを介して録画再生部２０４に供給される。また、地上デジタル放送チューナ２０２により復号された映像信号および音声信号は、それぞれ、映像セレクタ２０６および音声セレクタ２１１に供給さる。なお、地上デジタル放送チューナ２０２が何れのチャンネルを復調対象として選択するかは、ＣＰＵ２１８により制御される。
【００６０】
なお、地上デジタル放送チューナ２０２は、異なるチャンネルを介して放送される２つのＭＰＥＧ２ストリームを同時に復調することが可能なダブルチューナであることが好ましい。この場合、地上デジタル放送チューナ２０２は、選局対象チャンネルとして選択した第１のチャンネルを介して放送されるＭＰＥＧ２ストリームを録画再生部２０４に供給すると共に、そのＭＰＥＧ２ストリームから復号した映像信号および音声信号を映像セレクタ２０６および音声セレクタ２１１に供給する。また、地上デジタル放送チューナ２０２は、録画対象チャンネルとして選択した第２のチャンネルを介して放送されるＭＰＥＧ２ストリームを録画再生部２０４に供給する。
【００６１】
もちろん、本発明に係る地上デジタル放送チューナ２０２は、ダブルチューナに限定されるものではなく、例えば、シングルチューナであってもよく、３つ以上のチューナを備える複数のチューナであってもよい。地上デジタル放送チューナ２０２がシングルチューナである場合には、ユーザが放送番組を視聴していないときに限って、放送番組を表すＭＰＥＧ２ストリームを録画再生部２０４に供給することができる。また、地上デジタル放送チューナ２０２が複数のチューナによって構成される場合には、チャンネル毎、放送波毎、又は、視聴者毎（例えば、お父さん、お母さん、及び、子供等）に、異なるチャンネルを介して放送される放送番組を表すＭＰＥＧ２ストリームを録画再生部２０４に供給することができる。
【００６２】
衛星放送チューナ２０３は、衛星放送により放送される放送番組を受信するためのチューナである。衛星放送チューナ２０３は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号を復号する復号部により構成することができる。
【００６３】
衛星放送チューナ２０３により復調されたＭＰＥＧ２ストリームは、録画再生部２０４に供給される。また、衛星放送チューナ２０３により復号された映像信号および音声信号は、それぞれ、映像セレクタ２０６および音声セレクタ２１１に供給さる。なお、衛星放送チューナ２０３が何れのチャンネルを介して伝送されるＭＰＥＧ２データストリームを復調するかは、ＣＰＵ２１８により選択される。
【００６４】
なお、本実施形態における衛星放送チューナ２０３は、地上デジタル放送チューナ２０２と同様、異なるチャンネルを介して放送される２つの放送番組を同時に受信することが可能なダブルチューナであることが好ましい。
【００６５】
録画再生部２０４は、録画部２０４ａと再生部２０４ｂとを含む。録画部２０４ａは、地上デジタル放送チューナ２０２および衛星放送チューナ２０３の何れかからＭＰＥＧ２ストリームを取得し、取得したＭＰＥＧ２ストリームを記録装置に書き込む。録画部２０４ａは、テレビ１００に内蔵されたＢＤドライブ２０５、テレビ１００に内蔵されたＨＤドライブ２２１、および、外部機器インターフェース２１５に接続されたレコーダー１５２を、ＭＰＥＧ２ストリームを記録するための記録装置として利用することができる。再生部２０４ｂは、記録装置からＭＰＥＧ２ストリームを読み出し、読み出したＭＰＥＧ２ストリームから映像信号および音声信号を復号する。再生部２０４ｂにより復号された映像信号および音声信号は、それぞれ、映像セレクタ２０６および音声セレクタ２１１に供給される。
【００６６】
映像セレクタ２０６には、上述した４種類の映像信号が供給される。すなわち、（１）外部入力端子２０１（特に映像入力端子２０１ａ）から入力された映像信号、（２）地上デジタル放送チューナ２０２にて復号された映像信号、（３）衛星放送チューナ２０３にて復号された映像信号、および、（４）録画再生部２０４（特に再生部２０４ｂ）にて復号された映像信号が入力される。映像セレクタ２０６は、上記（１）〜（４）の映像信号のうちの何れか１つを選択する。映像セレクタ２０６によって選択された映像信号は、映像処理回路２０７に供給される。なお、映像セレクタ２０６が何れの映像信号を選択するかは、ＣＰＵ２１８によって制御される。
【００６７】
映像処理回路２０７は、映像セレクタ２０６から供給された映像信号に画質調整処理を施す。また、映像処理回路２０７は、映像セレクタ２０６から供給された映像信号にスケーリング処理を施す。ここで、画質調整処理とは、例えば、映像信号を加工することによって、その映像信号が表す映像の輝度、シャープネス、および、コントラストの少なくとも何れかを変更することを指す。また、スケーリング処理とは、映像信号を加工することによって、その映像信号が表す映像のサイズを相似拡大または相似縮小することを指す。映像処理回路２０７によって加工された映像信号は、ＬＣＤコントローラ２０９に供給される。なお、映像処理回路２０７が画質およびサイズをどのように変更するかは、ＣＰＵ２１８によって制御される。
【００６８】
ＯＳＤ生成部２０８は、ＣＰＵ２１８から供給されたＯＳＤデータからＯＳＤ画像を生成（レンダリング）する。ＯＳＤ生成部２０８が生成するＯＳＤ画像としては、電子番組表等が挙げられる。ＯＳＤデータとしては、例えば、ＳＶＧ（Scalable Vector Graphics）を用いることができる。ＯＳＤ生成部２０８により生成されたＯＳＤ画像は、映像処理回路２０７から供給された映像信号に重畳され、ＬＣＤコントローラ２０９に供給される。
【００６９】
ＬＣＤコントローラ２０９は、映像処理回路２０７から供給された映像信号に基づいて、その映像信号が表す映像を表示するようにＬＣＤ２１０を駆動する。また、ＯＳＤ生成部２０８からＯＳＤ画像が供給されている場合、ＬＣＤコントローラ２０９は、映像処理回路２０７から供給された映像信号にＯＳＤ画像が重畳されたものに基づいて、その映像信号が表す映像を表示するようにＬＣＤ２１０を駆動する。
【００７０】
音声セレクタ２１１には、上述した４種類の音声信号が供給される。すなわち、（１）外部入力端子２０１（特に音声入力端子２０１ｂ）から入力された音声信号、（２）地上デジタル放送チューナ２０２にて復号された音声信号、（３）衛星放送チューナ２０３にて復号された音声信号、および、（４）録画再生部２０４（特に再生部２０４ｂ）にて復号された音声信号が入力される。音声セレクタ２１１は、上記（１）〜（４）の音声信号のうちの何れか１つを選択する。
【００７１】
音声セレクタ２１１によって選択された音声信号は、音声処理回路２１２に供給される。なお、音声セレクタ２１１が何れの音声信号を選択するかは、ＣＰＵ２１８によって制御される。ただし、映像セレクタ２０６における映像の選択と、音声セレクタ２１１における音声の選択とは連動しており、例えば、映像セレクタ２０６が地上デジタル放送チューナ２０２から供給された映像信号を選択しているときには、音声セレクタ２１１も地上デジタル放送チューナ２０２から供給された音声信号を選択する。
【００７２】
音声処理回路２１２は、音声セレクタ２１１から供給された音声信号に音量調整処理を施す。また、音声処理回路２１２は、音声セレクタ２１１から供給された音声信号に音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調等）を指す。音声処理回路２１２によって加工された音声信号は、アンプ２１３に供給される。なお、音声処理回路２１２によって音量および音質をどのように変更するかは、ＣＰＵ２１８によって制御される。
【００７３】
アンプ２１３は、音声処理回路２１２から供給された音声信号に基づいて、その音声信号が表す音声を出力するようにスピーカ２１４を駆動する。
【００７４】
ＣＰＵ２１８は、テレビ１００に対して入力された制御信号に応じて、上記各部を制御する。テレビ１００に対して入力される制御信号としては、操作ボタン１０６によって入力された制御信号、リモコン１０４から送信され、赤外線受光部２１９が受信した制御信号、外部機器インターフェース２１５を介して外部機器から送信された制御信号、通信インターフェース２２０を介してネットワーク機器から送信された制御信号等が挙げられる。例えば、制御信号による制御としては、地上デジタル放送チューナ２０２および衛星放送チューナ２０３の受信チャンネルを切り替える制御や、映像セレクタ２０６および音声セレクタ２１１にて選択する映像信号および音声信号をリモコン信号に応じて制御、録画部２０４ａに対してコンテンツの録画を実行させるための制御、再生部２０４ｂに対してコンテンツの再生を実行させるための制御等が挙げられる。
【００７５】
ＲＯＭ２１６は、ＣＰＵ２１８によって実行されるプログラム等の固定データが格納される、読み出し可能かつ書き込み不能なメモリである。一方、ＲＡＭ２１７は、ＣＰＵ２１８が演算のために参照するデータや、ＣＰＵ２１８が演算によって生成したデータ等の可変データが格納される、読み出し可能かつ書き込み可能なメモリである。
【００７６】
外部機器インターフェース２１５は、外部機器をテレビ１００に接続するためのインターフェースである。本実施形態では、外部機器インターフェース２１５として、ＨＤＭＩを採用している。すなわち、本実施形態では、外部機器インターフェース機器２１５に接続され、かつ外部機器インターフェース機器２１５によって制御される外部機器として、ＨＤＭＩ機器を採用しており、特にその一例としてレコーダー１５２を採用している。
【００７７】
通信インターフェース２２０は、テレビ１００をネットワーク１３０および各種ネットワーク機器に接続するためのインターフェースである。本実施形態では、通信インターフェース２２０として、ネットワーク１３０に接続するためのＬＡＮインターフェースを採用している。すなわち、本実施形態では、通信インターフェース２２０に接続され、かつ通信インターフェース２２０によって制御されるネットワーク機器として、ネットワーク１３０に接続可能なネットワーク機器を採用しており、特にその一例として、パーソナル・コンピュータ１５４および携帯電話１５６を採用している。
【００７８】
なお、本実施形態においては、地上デジタル放送の方式として、ＭＰＥＧ２ストリームを多重化する方式（米国におけるＡＴＳＣ方式や日本におけるＩＳＤＢ−Ｔ方式等）を想定しているが、本発明はこれに限定されるものではない。すなわち、例えば、ＭＰＥＧ２ストリームを多重化する代わりに、ＭＰＥＧ４ストリーム等を多重化する方式（欧州におけるＤＶＢ−Ｔ／ＤＶＢ−Ｔ２方式等）に対しても本発明を適用することができる。後者の場合、復調したＭＰＥＧ４ストリームをそのまま記録媒体に記録する構成を採用してもよいし、あるいは、復調したＭＰＥＧ４ストリームをＭＰＥＧ２ストリームに変換して記録媒体に記録する構成を採用してもよい。
【００７９】
（テレビ１００の機能）
ここで、テレビ１００の機能構成について説明する。図３は、実施形態１に係るテレビ１００の機能構成を示すブロック図である。図３に示すように、テレビ１００は、選局部３０１、視聴予約部３０２、録画予約部３０３、外部機器制御部３０４、およびネットワーク制御部３０６を備えている。ここでは、テレビ１００が備える監視機能およびこれに関連する機能について説明する。その他の機能については、テレビ受像機が備える一般的な機能であるため、図示および説明を省略する。
【００８０】
選局部３０１は、選局操作を行う。選局操作としては、例えば地上デジタル放送チューナ２０２および衛星放送チューナ２０３の受信チャンネルを切り替える操作や、映像セレクタ２０６および音声セレクタ２１１にて選択する映像信号および音声信号を切り替える操作等が挙げられる。通常、選局部３０１は、操作ボタン１０６によって入力された制御信号、あるいはリモコン１０４から送信され、赤外線受光部２１９が受信した制御信号に基づいて、選局操作を行う。例えば、テレビ１００においては、図２に示したＣＰＵ２１８が、選局部３０１として機能する。
【００８１】
視聴予約部３０２は、予め設定された日時が到来すると、選局部３０１を制御することにより、視聴あるいは録画されるチャンネルを、予め設定されたチャンネルに切り替える。この場合、選局部３０１は、ユーザ操作によらずに、自動的に選局操作を行うことになる。例えば、テレビ１００においては、図２に示したＣＰＵ２１８が、視聴予約部３０２として機能する。
【００８２】
録画予約部３０３は、予め設定された日時が到来すると、選局部３０１を制御することにより、予め設定されたチャンネルを録画する。この場合、選局部３０１は、ユーザ操作によらずに、自動的に選局操作を行うことになる。例えば、テレビ１００においては、図２に示したＣＰＵ２１８が、録画予約部３０３として機能する。
【００８３】
外部機器制御部３０４は、テレビ１００に接続された外部機器との通信を制御する。外部機器制御部３０４による制御には、外部機器からの遠隔操作により、選局部３０１による選局操作を行うための制御も含まれる。すなわち、選局部３０１は、外部機器から送信され、外部機器インターフェース２１５によって受信された制御信号に基づいて、選局操作を行うこともできる。例えば、テレビ１００においては、図２に示した外部機器インターフェース２１５が、外部機器制御部３０４として機能する。
【００８４】
ネットワーク制御部３０６は、ネットワークを介してテレビ１００に接続されたネットワーク機器との通信を制御する。ネットワーク制御部３０６による制御には、ネットワークに接続されたネットワーク機器からの遠隔操作を行うための制御も含まれる。すなわち、選局部３０１は、ネットワーク機器から送信され、通信インターフェース２２０によって受信された制御信号に基づいて、選局操作を行うこともできる。例えば、テレビ１００においては、図２に示した通信インターフェース２２０が、ネットワーク制御部３０６として機能する。
【００８５】
（テレビ１００の監視機能）
これら機能に加え、テレビ１００は、監視機能として、監視部３１０、判断部３２０、タイマ３３０、リセット部３３５、アラート発生部３４０、および判断情報記憶部３５０を備える。
【００８６】
監視部３１０は、テレビ１００の各部（選局部３０１およびネットワーク制御部３０６）を監視することで、テレビ１００に対して所定の操作指示がなされたかを監視する。例えば、テレビ１００においては、図２に示したＣＰＵ２１８が、監視部３１０として機能する。監視部３１０は、選局監視部３１２およびネットワーク制御監視部３１６を有する。
【００８７】
選局監視部３１２は、選局部３０１を監視する。具体的には、選局監視部３１２は、選局部３０１に入力されてきた制御信号を監視することで、当該選局部３０１に対して、所定の操作指示がなされたかを検出する。
【００８８】
ネットワーク制御監視部３１６は、ネットワーク制御部３０６を監視する。具体的には、ネットワーク制御監視部３１６は、ネットワーク制御部３０６がネットワーク機器から受信した制御信号を監視することで、ネットワークに接続されたネットワーク機器からの遠隔操作により、所定の操作指示がなされたかを検出する。
【００８９】
判断情報記憶部３５０は、監視部３１０による検出対象とされた複数の操作指示の各々について、当該操作指示が当該テレビ１００のユーザが行ったユーザ操作に起因するものか否かを判断するための判断情報を記憶する。例えば、テレビ１００においては、図２に示したＲＯＭ２１６、ＲＡＭ２１７等が、判断情報記憶部３５０として機能する。
【００９０】
判断部３２０は、テレビ１００に対して、検出対象とされた複数の操作指示のうちのいずれかの操作指示がなされたことを監視部３１０が検出すると、この検出された操作指示が、ユーザ操作に起因するものか否かを判断する。具体的には、上記したとおり、判断情報記憶部３５０には、監視部３１０による検出対象とされた複数の操作指示の各々について、当該操作指示がユーザ操作に起因するものか否かを判断するための判断情報が格納されている。そこで、判断部３２０は、検出対象とされた複数の操作指示のうちのいずれかの操作指示がなされたことを監視部３１０が検出すると、この判断情報に基づいて、検出された操作指示が、ユーザ操作に起因するものか否かを判断する。例えば、テレビ１００においては、図２に示したＣＰＵ２１８が、判断部３２０として機能する。
【００９１】
タイマ３３０は、ユーザ操作に起因する操作指示であると判断部３２０が判断しなかった時間、すなわち、ユーザ操作が行われていない時間（以下、「不操作時間」と示す。）を計測する。例えば、テレビ１００においては、図２に示したＣＰＵ２１８が、タイマ３３０として機能する。
【００９２】
リセット部３３５は、タイマ３３０が不操作時間を計測している間に、ユーザ操作が行われると、タイマ３３０がこれまで計測していた不操作時間と、設定時間との差を拡大する。これにより、アラート発生部３４０がアラートを発するタイミングが延期される。すなわち、リセット部３３５は、アラート発生部３４０がアラートを発信するタイミングを調整する警告タイミング調整手段として機能する。本実施形態では、リセット部３３５は、タイマ３３０が不操作時間を計測している間に、ユーザ操作が行われると、タイマ３３０がこれまで計測していた不操作時間をクリアして、タイマ３３０に対して不操作時間の計測を再開させる。このようにして、リセット部３３５は、タイマ３３０がこれまで計測していた不操作時間と、設定時間との差を拡大し、アラート発生部３４０がアラートを発するタイミングを延期する。例えば、テレビ１００においては、図２に示したＣＰＵ２１８が、リセット部３３５として機能する。
【００９３】
アラート発生部３４０は、タイマ３３０が計測している不操作時間が設定時間に達すると、アラートを発信する。すなわち、アラート発生部３４０は、テレビ１００に対してユーザ操作が行われずに、設定時間が経過した場合、アラートを発信する。ここで、設定時間は、テレビ１００に対して予め設定されているものであり、テレビ１００が備える各種メモリ等に予め格納されている。設定時間には、ユーザが任意のものを設定することができる。例えば、テレビ１００においては、図２に示したＣＰＵ２１８が、アラート発生部３４０として機能する。
【００９４】
（監視処理の手順）
図４は、実施形態１に係るテレビ１００による監視処理の手順を示すフローチャートである。ここでは、既に、図５および図６で後述する各判断情報が、判断情報記憶部３５０に格納されているものとして説明する。また、既に、監視部３１０による、選局部３０１およびネットワーク制御部３０６の監視が開始されているものとして説明する。
【００９５】
まず、タイマ３３０が、不操作時間の計測を開始する（ステップＳ４０１）。次に、テレビ１００は、所定の待機時間が経過するまで待機し（ステップＳ４０２）、所定の待機時間が経過すると（ステップＳ４０２：Ｙｅｓ）、処理をステップＳ４０３へ進める。所定の待機時間が経過しない間は（ステップＳ４０２：Ｎｏ）、処理をステップＳ４０３へ進めない。ここで、待機時間としては、例えば数秒が予め設定されている。すなわち、テレビ１００は、数秒毎に、ステップＳ４０３以降の処理を繰り返し行うということである。
【００９６】
ステップＳ４０３では、選局監視部３１２が、選局部３０１に対する操作指示がなされたかの検出を試みる（ステップＳ４０３）。ステップＳ４０３において、選局部３０１に対する操作指示がなされたことが検出された場合（ステップＳ４０３：Ｙｅｓ）、テレビ１００は、ステップＳ４０６へ処理を進める。一方、ステップＳ４０３において、選局部３０１に対する操作指示がなされたことが検出されなかった場合（ステップＳ４０３：Ｎｏ）、テレビ１００は、ステップＳ４０５へ処理を進める。
【００９７】
ステップＳ４０５では、ネットワーク制御監視部３１６が、ネットワーク機器からの操作指示をネットワーク制御部３０６が受信したかの検出を試みる（ステップＳ４０５）。ステップＳ４０５において、ネットワーク機器からの操作指示をネットワーク制御部３０６が受信したことが検出された場合（ステップＳ４０５：Ｙｅｓ）、テレビ１００は、ステップＳ４０６へ処理を進める。一方、ステップＳ４０５において、ネットワーク機器からの操作指示をネットワーク制御部３０６が受信したことが検出されなかった場合（ステップＳ４０６：Ｎｏ）、テレビ１００は、ステップＳ４０８へ処理を進める。
【００９８】
ステップＳ４０６では、判断部３２０が、ステップＳ４０３、あるいはＳ４０５で検出された操作指示が、ユーザ操作に起因するものか否かを判断する。すなわち、テレビ１００に対するユーザ操作がなされたか否かを判断する（ステップＳ４０６）。
【００９９】
ステップＳ４０６において、「ユーザ操作がなされた」と判断された場合（ステップＳ４０６：Ｙｅｓ）、リセット部３３５により、タイマ３３０がこれまでに計測していた不操作時間をクリアする（ステップＳ４０７）。そして、テレビ１００は、処理をステップＳ４０２へ戻す。一方、ステップＳ４０６において、「ユーザ操作がなされていない」と判断された場合（ステップＳ４０６：Ｎｏ）、テレビ１００は、処理をステップＳ４０８へ進める。
【０１００】
ステップＳ４０８では、アラート発生部３４０が、タイマ３３０が計測している不操作時間が、設定時間を超えたかを判断する（ステップＳ４０８）。ステップＳ４０８において、「不操作時間が設定時間を超えた」と判断された場合（ステップＳ４０８：Ｙｅｓ）、アラート発生部３４０は、アラートを発信する（ステップＳ４０９）。そして、テレビ１００は、監視処理を終了する。ここで、テレビ１００は監視処理を終了せずに、ステップＳ４０１以降の処理を繰り返し行うようにしても良い。一方、ステップＳ４０８において、「不操作時間が設定時間を超えていない」と判断された場合（ステップＳ４０８：Ｎｏ）、テレビ１００は、処理をステップＳ４０２へ戻す。
【０１０１】
（判断処理の具体例）
ここで、判断部３２０による判断処理の具体例を説明する。図５および図６は、実施形態１に係るテレビ１００が扱う判断情報の一例を示す図である。テレビ１００の判断情報記憶部３５０には、図５，６に示す判断情報５０２，５０４が格納されている。判断部３２０は、これらの判断情報に基づいて、テレビ１００に対してなされた操作指示が、ユーザ操作に起因するものか否かを判断する。
【０１０２】
図５に示す判断情報５０２は、選局部３０１に対する複数の操作指示の各々について、当該操作指示がユーザ操作に起因するものか否かを判断するためのものである。この判断情報５０２は、選局部３０１に対してなされた操作指示が、ユーザ操作に起因するものか否かを判断する際に、判断部３２０によって参照されるものである。この判断情報５０２は、「Ｍｏｄｅ」欄と、「ユーザ操作」欄とを含んでいる。
【０１０３】
「Ｍｏｄｅ」欄には、選局操作の各操作モードが設定される。テレビ１００においては、選局操作の方法として、様々な操作モードを有している。例えば、図５に示す例では、判断情報５０２の「Ｍｏｄｅ」欄には、テレビ１００が有する操作モードとして、「ＲＥＭＯＴＥ」、「ＴＵＮＥ＿ＰＡＴＨ」、「ＶＩＥＷ＿ＲＥＳＥＲＶＥ」、「ＲＥＣＯＲＤ＿ＲＥＳＥＲＶＥ」、「ＴＵＮＥ＿ＡＵＴＯ」、および「ＴＩＭＥＲ」が設定されている。
【０１０４】
操作モード「ＲＥＭＯＴＥ」は、リモコン１０４による選局操作であることを示す。すなわち、テレビ１００が備える入力装置による操作であることを示す。例えば、リモコン１０４により、チャンネルを「２ｃｈ」から「８ｃｈ」に切り替えた場合場合や、ＢＳ放送からＣＳ放送に切り替えた場合等が、これに該当する。
【０１０５】
操作モード「ＴＵＮＥ＿ＰＡＴＨ」は、リモコン１０４又は操作ボタン１０６に含まれている入力切り替えボタンによる選局操作であることを示す。すなわち、テレビ１００が備える入力装置による操作であることを示す。例えば、入力切り替えボタンにより、入力を「外部入力１」から「ＴＶ」に切り替えた場合や、「ＴＶ」から「インターネット」に切り替えた場合等が、これに該当する。
【０１０６】
操作モード「ＶＩＥＷ＿ＲＥＳＥＲＶＥ」は、予め設定しておいた視聴予約時刻が到来したことにより、選局部３０１が自動的に行った選局操作であることを示す。
【０１０７】
操作モード「ＲＥＣＯＲＤ＿ＲＥＳＥＲＶＥ」は、予め設定しておいた録画予約時刻が到来したことにより、選局部３０１が自動的に行った選局操作であることを示す。
【０１０８】
操作モード「ＴＵＮＥ＿ＡＵＴＯ」は、予め設定しておいた常連番組の視聴予約時刻が到来したことにより、選局部３０１が自動的に行った選局操作であることを示す。ここで、常連番組とは、複数回放送される番組であって、毎回の視聴予約が自動的に設定される番組を示す。例えば、毎週月曜日の１９：００〜２０：００に放送される常連番組であれば、選局部３０１は、毎週月曜日の１９：００〜２０：００にこの番組が視聴されるように、自動的に選局を行うといった具合である。
【０１０９】
操作モード「ＴＩＭＥＲ」は、予め設定しておいたタイマー起動時刻が到来したことにより、選局部３０１が自動的に行った選局操作であることを示す。
【０１１０】
一方、「ユーザ操作」欄には、操作モード毎に、当該操作がユーザ操作によるものか否かを識別するための識別情報が設定される。判断情報５０２において、「ユーザ操作」欄に“○”が設定されている操作モードは、当該操作がユーザ操作によるものであることを示す。一方、判断情報５０２において、「ユーザ操作」欄に“×”が設定されている操作モードは、当該操作がユーザ操作によるものではないことを示す。
【０１１１】
例えば、判断情報５０２において、操作モード「ＲＥＭＯＴＥ」，「ＴＵＮＥ＿ＰＡＴＨ」に対しては、「ユーザ操作」欄に“○”が設定されている。これにより、操作モード「ＲＥＭＯＴＥ」，「ＴＵＮＥ＿ＰＡＴＨ」のいずれかの選局操作を行うための操作指示が、選局部３０１に対してなされた場合、判断部３２０は、この操作指示が、ユーザ操作に起因するものであると判断する。
【０１１２】
一方、判断情報５０２において、操作モード「ＶＩＥＷ＿ＲＥＳＥＲＶＥ」，「ＲＥＣＯＲＤ＿ＲＥＳＥＲＶＥ」，「ＴＵＮＥ＿ＡＵＴＯ」，「ＴＩＭＥＲ」に対しては、「ユーザ操作」欄に“×”が設定されている。これにより、操作モード「ＶＩＥＷ＿ＲＥＳＥＲＶＥ」，「ＲＥＣＯＲＤ＿ＲＥＳＥＲＶＥ」，「ＴＵＮＥ＿ＡＵＴＯ」，「ＴＩＭＥＲ」のいずれかの選局操作を行うための操作指示が、選局部３０１に対してなされた場合、判断部３２０は、この操作指示が、ユーザ操作に起因するものでないと判断する。
【０１１３】
図６に示す判断情報５０４は、ネットワーク制御部３０６によって受信される複数の操作指示の各々について、当該操作指示がユーザ操作に起因するものか否かを判断するためのものである。この判断情報５０４は、ネットワーク制御部３０６によって受信された操作指示が、ユーザ操作に起因するものか否かを判断する際に、判断部３２０によって参照されるものである。この判断情報５０４は、「制御信号」と、「ユーザ操作」欄とを含んでいる。
【０１１４】
「制御信号」欄には、ネットワーク制御部３０６がネットワーク機器から受信する制御信号が設定される。例えば、図６に示す例では、判断情報５０４の「制御信号」欄には、ネットワーク制御部３０６がネットワーク機器から受信する制御信号として、「ＩＰコントロール信号」、「ＤＬＮＡ  ＤＭＣコントロール信号」、「ＡＱＵＯＳインフォメーション用信号」、「自動アップデート用信号」、および「その他一般的な通信用信号」が設定されている。特に、「ＤＬＮＡ  ＤＭＣコントロール信号」としては、「ＳｅｔＮｅｘｔＡＶＴｒａｎｓｐｏｒｔＵＲＩ」、「Ｐｌａｙ」、「ＧｅｔＴｒａｎｓｐｏｒｔＩｎｆｏ」、および「ＳｅｔＰｌａｙＭｏｄｅ」が設定されている。
【０１１５】
これらの制御信号のうち、「ＩＰコントロール信号」は、Ｗｉ−Ｆｉ（Wireless Fidelity）等を経由して、ネットワーク１３０に接続された携帯端末装置（例えば、図１に示した携帯電話１５６）から遠隔操作をおこなうための制御信号である。
【０１１６】
また、「ＤＬＮＡ  ＤＭＣコントロール信号」は、ＤＬＮＡ規格に基づいて、コンテンツ再生を制御する装置（例えば、図１に示した携帯電話１５６）から遠隔操作をおこなうための制御信号である。
【０１１７】
このうち、「ＳｅｔＮｅｘｔＡＶＴｒａｎｓｐｏｒｔＵＲＩ」は、遠隔操作される側の機器（本実施形態ではテレビ１００）が次に再生するコンテンツを、遠隔操作する側の機器（例えば、図１に示した携帯電話１５６）が指定するための制御信号である。
【０１１８】
また、「Ｐｌａｙ」は、遠隔操作される側の機器に対して、選択されたコンテンツを再生させるための制御信号である。
【０１１９】
また、「ＧｅｔＴｒａｎｓｐｏｒｔＩｎｆｏ」は、「再生中」、「一時停止中」、「録画中」等、遠隔操作される側の機器の再生状態を確認するための制御信号である。
【０１２０】
また、「ＳｅｔＰｌａｙＭｏｄｅ」は、「ランダム」、「シャッフル」、「リピート」等、遠隔操作される側の機器に対して、再生モードを設定するための制御信号である。
【０１２１】
また、「ＡＱＵＯＳインフォメーション用信号」は、インターネット上のコンテンツサーバから提供された情報を、テレビ１００が自動的に取得して表示するための制御信号である。
【０１２２】
また、「自動アップデート用信号」は、インターネット上のコンテンツサーバから提供されたアップデートプログラムを、テレビ１００が自動的に取得して実行するための制御信号である。
【０１２３】
また、「その他一般的な通信用信号」は、インターネット上のＷＥＢサイトにアクセスするための制御信号や、ＩＰマルチキャスト放送を受信するための制御信号等である。
【０１２４】
一方、「ユーザ操作」欄には、制御信号毎に、当該制御信号がユーザ操作に起因して発せられたものか否かを識別するための識別情報が設定される。判断情報５０４において、「ユーザ操作」欄に“○”が設定されている制御信号は、当該制御信号がユーザ操作に起因して発せられたものであることを示す。一方、判断情報５０４において、「ユーザ操作」欄に“×”が設定されている制御信号は、当該操作がユーザ操作に起因して発せられたものではないことを示す。
【０１２５】
例えば、判断情報５０４において、「ＳｅｔＮｅｘｔＡＶＴｒａｎｓｐｏｒｔＵＲＩ」，「Ｐｌａｙ」，「ＧｅｔＴｒａｎｓｐｏｒｔＩｎｆｏ」，「ＳｅｔＰｌａｙＭｏｄｅ」，「ＩＰコントロール信号」に対しては、「ユーザ操作」欄に“○”が設定されている。これにより、「ＳｅｔＮｅｘｔＡＶＴｒａｎｓｐｏｒｔＵＲＩ」，「Ｐｌａｙ」，「ＧｅｔＴｒａｎｓｐｏｒｔＩｎｆｏ」，「ＳｅｔＰｌａｙＭｏｄｅ」，「ＩＰコントロール信号」のいずれかの制御信号をネットワーク制御部３０６がネットワーク機器から受信した場合、判断部３２０は、この制御信号が、ネットワーク機器に対するユーザ操作に起因して、このネットワーク機器から発信されたものであると判断する。すなわち、判断部３２０は、ユーザ操作が行われたと判断する。
【０１２６】
一方、判断情報５０４において、「ＡＱＵＯＳインフォメーション用信号」，「自動アップデート用信号」，「その他一般的な通信用信号」に対しては、「ユーザ操作」欄に“×”が設定されている。これにより、「ＡＱＵＯＳインフォメーション用信号」，「自動アップデート用信号」，「その他一般的な通信用信号」のいずれかの制御信号をネットワーク制御部３０６がネットワーク機器から受信した場合、判断部３２０は、この制御信号が、ネットワーク機器に対するユーザ操作に起因して、このネットワーク機器から発信されたものではないと判断する。すなわち、判断部３２０は、ユーザ操作が行われていないと判断する。
【０１２７】
このように、本実施形態のテレビ１００は、当該テレビ１００に対する複数の操作指示の各々について、当該操作指示が当該テレビ１００のユーザが行ったユーザ操作に起因するか否かを判断するための判断情報５０２，５０４を判断情報記憶部３５０に記憶させておく。
【０１２８】
そして、選局部３０１に対する操作指示、またはネットワーク機器からの操作指示がなされた場合、上記判断情報に基づいて、当該操作指示が、当該テレビ１００のユーザが行ったユーザ操作に起因するか否かを判断する。
【０１２９】
さらに、ユーザ操作に起因する操作指示がなされたと判断された場合にはタイマの計測時間をリセットし、ユーザ操作に起因する操作指示がなされたと判断されずに、タイマの計測時間が設定時間を経過した場合、警告情報を発する構成を採用している。
【０１３０】
これにより、本実施形態のテレビ１００によれば、当該テレビ１００に対してなされた様々な操作指示について、より適確に、当該操作指示がユーザ操作に起因するものか否かを判断することができる。すなわち、テレビ１００において、当該テレビ１００が備える入力装置以外による操作がなされた場合であっても、ユーザによる操作が行われたか否かを、より適確に判断することでき、より適切なタイミングで警告情報を発することができる。
【０１３１】
（実施形態２）
次に、本発明に係る監視システムの実施形態２について説明する。図７は、実施形態２に係る監視システムのシステム構成を示す図である。実施形態１の監視システム１０では、テレビ１００を監視装置として機能させ、レコーダー１５２をテレビ１００の外部機器とした構成を採用している。
【０１３２】
この実施形態２の監視システム２０では、レコーダー８００を監視装置として機能させ、テレビ１００をレコーダー８００の外部機器とした構成を採用している点で、実施形態１の監視システム１０と相違する。
【０１３３】
なお、以降の説明において、前述した構成要素と同一の構成要素、すなわち、実施形態１からの変更が無い構成要素については、実施形態１と同一の参照符号を付し、その詳細については省略する。
【０１３４】
図７に示すように、監視システム２０は、レコーダー８００、通知サーバ１１０、および通知先端末１２０を備える。レコーダー８００、通知サーバ１１０、および通知先端末１２０のそれぞれは、インターネットやホームネットワーク等の、ネットワーク１３０に接続されている。
【０１３５】
レコーダー８００は、当該レコーダー８００に対するユーザの操作を監視する監視装置の一例である。レコーダー８００は、各種動画データおよび各種音声データを録画及び再生する、いわゆる録画再生機器である。
【０１３６】
レコーダー８００によって録画及び再生される動画データとしては、各種チューナで受信された動画データ、外部端子から入力された動画データ、当該レコーダー８００に挿入、接続、または内蔵された各種記録メディアに記録されている動画データ等が挙げられる。また、レコーダー８００によって録画及び再生される音声データとしては、上記した各種動画データに含まれている音声データが挙げられる。レコーダー８００は、楽曲データ等の音声データを単独で録画および再生することもできる。レコーダー８００としては、例えばＨＤＤレコーダー、ＤＶＤレコーダー、ＢＤレコーダー等が挙げられる。
【０１３７】
本実施形態では、レコーダー８００として、テレビ１００からの遠隔操作が可能なＨＤＭＩ（High-Definition Multimedia Interface）機器を採用している。テレビ１００とレコーダー８００とは、ＨＤＭＩケーブルで接続されている。例えば、レコーダー８００は、ＨＤＭＩケーブルを介して、ＨＤＭＩ規格で規定されている、相互機器制御を実現するためのＣＥＣ（Consumer Electronics Control）制御信号をテレビ１００から受信することにより、テレビ１００からの遠隔操作が行われる。
【０１３８】
レコーダー８００は、本体８０２およびリモコン８０４を有する。レコーダー８００は、入力装置として、リモコン８０４だけでなく、本体８０２に設けられた操作パネル８０６を有する。例えば、監視対象者は、リモコン８０４又は操作パネル８０６を操作することによって、レコーダー８００に対して、コンテンツの録画操作や、コンテンツの再生操作等の操作を行うことができる。
【０１３９】
ここで、レコーダー８００の監視機能について説明する。レコーダー８００は、予め設定された時間の間、当該レコーダー８００に対する操作が行われたか否かによって、監視対象者に異常が生じたか否かを判断する。レコーダー８００は、監視対象者に異常が生じたと判断すると、アラートを発する。この例では、レコーダー８００は、アラートを、通知サーバ１１０へ送信する。
【０１４０】
通知サーバ１１０は、監視対象者に何らかの異常が生じたことを通知対象者に通知する装置である。具体的には、通知サーバ１１０は、レコーダー８００から送信されてきたアラートを受け取ると、このレコーダー８００に予め対応付けられているメールアドレスに対して、アラートメールを送信する。この例では、レコーダー８００には、通知先端末１２０のメールアドレスが予め対応付けられている。したがって、通知サーバ１１０は、レコーダー８００から送信されてきたアラートを受け取ると、上記アラートメールを通知先端末１２０へ送信する。
【０１４１】
通知先端末１２０は、監視対象者の介護者等の通知対象者が利用する装置である。この例では、通知先端末１２０は、パーソナル・コンピュータ１２２および携帯電話１２４を含んでいる。通知対象者は、通知サーバ１１０からパーソナル・コンピュータ１２２又は携帯電話１２４に送られてきたアラートメールによって、監視対象者に何らかの異常が生じたことを知ることができる。
【０１４２】
（外部機器およびネットワーク機器）
レコーダー８００には、当該レコーダー８００の遠隔操作が可能な外部機器が接続されている。例えば、図７に示すように、レコーダー８００には、外部機器の一例として、テレビ１００が接続されている。
【０１４３】
本実施形態では、テレビ１００として、レコーダー８００の遠隔操作が可能なＨＤＭＩ（High-Definition Multimedia Interface）機器を採用している。レコーダー８００とテレビ１００とは、ＨＤＭＩケーブルで接続されている。例えば、テレビ１００は、ＨＤＭＩケーブルを介して、ＨＤＭＩ規格で規定されている、相互機器制御を実現するためのＣＥＣ（Consumer Electronics Control）制御信号をレコーダー８００へ送信することにより、レコーダー８００を遠隔操作する。
【０１４４】
また、レコーダー８００には、ネットワーク１３０を介して、当該レコーダー８００の遠隔操作が可能なネットワーク機器が接続されている。例えば、図７に示すように、レコーダー８００には、ネットワーク機器の一例として、パーソナル・コンピュータ１５４および携帯電話１５６が接続されている。パーソナル・コンピュータ１５４および携帯電話１５６は、いずれもレコーダー８００の遠隔操作が可能な機器である。例えば、パーソナル・コンピュータ１５４は、ネットワーク１３０を介して、ＤＬＮＡコントロール信号をレコーダー８００へ送信することにより、レコーダー８００を遠隔操作する。また、携帯電話１５６は、ネットワーク１３０を介して、ＩＰコントロール信号をレコーダー８００へ送信することにより、レコーダー８００を遠隔操作する。
【０１４５】
（レコーダー８００の動作）
ここで、レコーダー８００が監視対象者の異常を検出し、アラートを発する仕組みについて説明する。例えば、レコーダー８００において、リモコン８０４や操作パネル８０６の操作により、録画操作あるいは再生操作等の操作（以下、「録画等操作」と示す。）が行われずに、予め設定された設定時間が経過したとする。この場合、レコーダー８００は、監視対象者に異常が生じたと判断し、アラートを発する。反対に、設定時間が経過する前に、レコーダー８００において、リモコン８０４や操作パネル８０６の操作により、録画等操作が行われたとする。この場合、レコーダー８００は、監視対象者に異常が生じていないと判断し、アラートを発しない。
【０１４６】
ここで、レコーダー８００において、録画等操作は、リモコン８０４及び操作パネル８０６によるものに限らない。例えば、タイマーにより、自動的に録画等操作が行われる場合がある。この場合、ユーザによる操作が行われず、録画等操作が行われたと言える。
【０１４７】
また、パーソナル・コンピュータ１５４や携帯電話１５６等のネットワーク機器からの遠隔操作により、録画等操作が行われる場合がある。この場合は、ユーザ操作が行われ、録画等操作が行われたと言える。
【０１４８】
さらに、テレビ１００等の外部機器からの遠隔操作により、録画等操作が行われる場合がある。この場合も、ユーザ操作が行われ、録画等操作が行われたと言える。
【０１４９】
このように、入力装置以外による録画等操作は、ユーザ操作によるものと、ユーザ操作によらないものとを含んでいる。このため、単に録画等操作が行われたというだけでは、ユーザ操作が行われたか否かを判断することができない。すなわち、監視対象者に異常が生じているのか否かを適確に判断することができない。
【０１５０】
そこで、本実施形態のレコーダー８００は、当該レコーダー８００に対してある操作指示がなされた場合、その操作指示の内容に応じて、ユーザ操作が行われたか否かを判断するのである。これにより、本実施形態のレコーダー８００は、ユーザ操作が行われたか否かをより適確に判断することができる。すなわち、監視対象者に異常が生じているのか否かを適確に判断することができるのである。
【０１５１】
（レコーダー８００のハードウェア構成）
図８は、実施形態２に係るレコーダー８００（本体８０２）のハードウェア構成を示すブロック図である。レコーダー８００は、図８に示すように、外部入力端子９０１、地上デジタル放送チューナ９０２、衛星放送チューナ９０３、録画再生部９０４、ＢＤドライブ９０５、映像セレクタ９０６、映像処理回路９０７、ＯＳＤ（On-Screen Display）生成部９０８、音声セレクタ９１１、音声処理回路９１２、外部機器インターフェース９１５、ＲＯＭ９１６、ＲＡＭ９１７、ＣＰＵ９１８、赤外線受光部９１９、通信インターフェース９２０、ＨＤドライブ９２１、および外部出力端子９２２を備えている。図８においては、映像信号の経路を実線で、音声信号の経路を一点鎖線で、データや制御信号の経路（バス）を太線で示している。
【０１５２】
なお、上記各構成部のうち、実施形態１（図２）で説明した、テレビ１００が備える構成部と同名のものについては、テレビ１００が備える構成部と同様に機能する。このため、テレビ１００が備える構成部と同名のものについては、実施形態１の説明の動作主体を適宜レコーダー８００のものに読み代えることをもって、レコーダー８００が備える構成部の説明とし、ここでの詳細な説明は省略する。ここでは、テレビ１００とレコーダー８００との主な相違点について説明する。
【０１５３】
レコーダー８００は、映像信号をテレビ１００へ出力して、この映像をテレビ１００に表示させる。このため、レコーダー８００は、映像を表示するためのＬＣＤコントローラやＬＣＤを備えてなく、代わりに映像出力端子９２２ａを備えている点で、テレビ１００と相違する。
【０１５４】
同様に、レコーダー８００は、音声信号をテレビ１００へ出力して、この音声をテレビ１００に表示させる。このため、レコーダー８００は、音声を発するためのアンプやスピーカを備えてなく、代わりに音声出力端子９２２ｂを備えている点で、テレビ１００と相違する。
【０１５５】
具体的に説明すると、レコーダー８００は、外部出力端子９２１を備えている。外部出力端子９２１は、映像出力端子９２１ａと音声出力端子９２１ｂとを含む。映像出力端子９２１ａは、映像処理回路９０７から供給された映像信号を出力するためのものである。映像出力端子９２１ａは、例えば、ＤＶＩ端子である。音声出力端子９２１ｂは、音声処理回路９１２から供給された音声信号を出力するためのものである。音声出力端子９２１ｂは、例えば、Ｓ／ＰＤＩＦ端子である。ただし、外部出力端子９２１は、これに限定されず、映像出力端子９２１ａと音声出力端子９２１ｂとが一体化されたＨＤＭＩ端子等であってもよい。
【０１５６】
レコーダー８００において、ＣＰＵ９１８は、レコーダー８００に対して入力された制御信号に応じて、上記各部を制御する。レコーダー８００に対して入力される制御信号としては、操作パネル８０６によって入力された制御信号、リモコン８０４から送信され、赤外線受光部９１９が受信した制御信号、外部機器インターフェース９１５を介して外部機器から送信された制御信号、通信インターフェース９２０を介してネットワーク機器から送信された制御信号等が挙げられる。例えば、制御信号による制御としては、地上デジタル放送チューナ９０２および衛星放送チューナ９０３の受信チャンネルを切り替える制御や、映像セレクタ９０６および音声セレクタ９１１にて選択する映像信号および音声信号を切り替える制御、録画部９０４ａに対してコンテンツの録画を実行させるための制御、再生部９０４ｂに対してコンテンツの再生を実行させるための制御等が挙げられる。
【０１５７】
また、レコーダー８００において、外部機器インターフェース９１５は、外部機器をレコーダー８００に接続するためのインターフェースである。本実施形態では、外部機器インターフェース９１５として、ＨＤＭＩを採用している。すなわち、本実施形態では、外部機器インターフェース９１５に接続され、かつ外部機器インターフェース９１５によって制御される外部機器として、ＨＤＭＩ機器を採用しており、特にその一例としてテレビ１００を採用している。
【０１５８】
また、レコーダー８００において、通信インターフェース９２０は、レコーダー８００をネットワーク１３０および各種ネットワーク機器に接続するためのインターフェースである。本実施形態では、通信インターフェース９２０として、ネットワーク１３０に接続するためのＬＡＮインターフェースを採用している。すなわち、本実施形態では、通信インターフェース９２０に接続され、かつ通信インターフェース９２０によって制御されるネットワーク機器として、ネットワーク１３０に接続可能なネットワーク機器を採用しており、特にその一例として、パーソナル・コンピュータ１５４および携帯電話１５６を採用している。
【０１５９】
（レコーダー８００の機能）
ここで、レコーダー８００の機能構成について説明する。図９は、実施形態２に係るレコーダー８００の機能構成を示すブロック図である。図９に示すように、レコーダー８００は、選局部１００１、視聴予約部１００２、録画予約部１００３、外部機器制御部１００４、およびネットワーク制御部１００６を備えている。これら機能に加え、レコーダー８００は、監視機能として、監視部１０１０、判断部１０２０、タイマ１０３０、リセット部１０３５、アラート発生部１０４０、および判断情報記憶部１０５０を備える。ここでは、レコーダー８００が備える監視機能およびこれに関連する機能について図示している。その他の機能については、録画再生機器が備える一般的な機能であるため、図示を省略している。
【０１６０】
図９に示すように、レコーダー８００の機能構成は、「外部機器制御監視部１０１４が監視部１０１０に設けられている」という点を除いて、テレビ１００の機能構成と同様である。すなわち、外部機器制御監視部１０１４を除いて、レコーダー８００の各機能構成部は、実施形態１（図３）で説明した、テレビ１００が備える機能構成部と同名で符号が異なるだけであり、テレビ１００が備える機能構成部と同様に機能する。このため、レコーダー８００の各機能構成部については、実施形態１の説明の動作主体を適宜実施形態２のものに読み代えることをもって、実施形態２の説明とし、ここでの詳細な説明は省略する。ここでは、外部機器制御監視部１０１４について、詳細に説明する。
【０１６１】
（外部機器制御監視部１０１４）
監視部１０１０は、外部機器制御監視部１０１４を備えていることで、選局部１００１およびネットワーク制御部１００６だけでなく、外部機器制御部１００４をも監視し、テレビ１００に対して所定の操作指示がなされたかを監視する。
【０１６２】
外部機器制御監視部１０１４は、外部機器制御部１００４を監視する。具体的には、外部機器制御監視部１０１４は、外部機器制御部１００４が外部機器から受信した制御信号を監視することで、レコーダー８００に接続されたテレビ１００等の外部機器からの遠隔操作により、所定の操作指示がなされたかを検出する。
【０１６３】
既に説明したとおり、レコーダー８００は、テレビ１００等の外部機器からの遠隔操作が可能となっている。具体的には、テレビ１００のリモコン１０４には、レコーダー８００の選局操作用のボタンが含まれている。ユーザーがこのボタンを操作すると、このボタンに応じたＣＥＣ制御信号が、テレビ１００からレコーダー８００へ送信される。このＣＥＣ制御信号は、外部機器制御部１００４によって受信される。すると、選局部１００１は、外部機器制御部１００４が受信した制御信号に基づいて、選局操作を行う。
【０１６４】
このように、レコーダー８００は、外部機器制御部１００４が受信した制御信号によっても、選局操作が行われる。そこで、本実施形態のレコーダー８００は、外部機器制御監視部１０１４を設け、この外部機器制御監視部１０１４により、外部機器制御部１００４が外部機器から受信した制御信号を監視することとした。これにより、本実施形態のレコーダー８００は、レコーダー８００に接続されたテレビ１００等の外部機器からの遠隔操作についても、所定の操作指示がなされたかを検出することを可能としている。
【０１６５】
（監視処理の手順）
図１０は、実施形態２に係るレコーダー８００による監視処理の手順を示すフローチャートである。ここでは、既に、図５および図６に示した判断情報５０２，５０４と、図１１で後述する判断情報５０６とが、レコーダー８００の判断情報記憶部１２５０に格納されているものとして説明する。また、既に、監視部１０１０による、選局部１００１、外部機器制御部１００４、およびネットワーク制御部１００６の監視が開始されているものとして説明する。
【０１６６】
まず、タイマ１０３０が、不操作時間の計測を開始する（ステップＳ４０１）。次に、レコーダー８００は、所定の待機時間が経過するまで待機し（ステップＳ４０２）、所定の待機時間が経過すると（ステップＳ４０２：Ｙｅｓ）、処理をステップＳ４０３へ進める。所定の待機時間が経過しない間は（ステップＳ４０２：Ｎｏ）、処理をステップＳ４０３へ進めない。ここで、待機時間としては、例えば数秒が予め設定されている。すなわち、レコーダー８００は、数秒毎に、ステップＳ４０３以降の処理を繰り返し行うということである。
【０１６７】
ステップＳ４０３では、選局監視部１０１２が、選局部１００１に対する操作指示がなされたかの検出を試みる（ステップＳ４０３）。ステップＳ４０３において、選局部１００１に対する操作指示がなされたことが検出された場合（ステップＳ４０３：Ｙｅｓ）、レコーダー８００は、ステップＳ４０６へ処理を進める。一方、ステップＳ４０３において、選局部１００１に対する操作指示がなされたことが検出されなかった場合（ステップＳ４０３：Ｎｏ）、レコーダー８００は、ステップＳ４０４へ処理を進める。
【０１６８】
ステップＳ４０４では、外部機器制御監視部１０１４が、外部機器からの操作指示を外部機器制御部１００４が受信したかの検出を試みる（ステップＳ４０４）。ステップＳ４０４において、外部機器からの操作指示を外部機器制御部１００４が受信したことが検出された場合（ステップＳ４０４：Ｙｅｓ）、レコーダー８００は、ステップＳ４０６へ処理を進める。一方、ステップＳ４０４において、外部機器からの操作指示を外部機器制御部１００４が受信したことが検出されなかった場合（ステップＳ４０４：Ｎｏ）、レコーダー８００は、ステップＳ４０５へ処理を進める。
【０１６９】
ステップＳ４０５では、ネットワーク制御監視部１０１６が、ネットワーク機器からの操作指示をネットワーク制御部１００６が受信したかの検出を試みる（ステップＳ４０５）。ステップＳ４０５において、ネットワーク機器からの操作指示をネットワーク制御部１００６が受信したことが検出された場合（ステップＳ４０５：Ｙｅｓ）、レコーダー８００は、ステップＳ４０６へ処理を進める。一方、ステップＳ４０５において、ネットワーク機器からの操作指示をネットワーク制御部１００６が受信したことが検出されなかった場合（ステップＳ４０６：Ｎｏ）、レコーダー８００は、ステップＳ４０８へ処理を進める。
【０１７０】
ステップＳ４０６では、判断部１０２０が、ステップＳ４０３、Ｓ４０４、あるいはＳ４０５で検出された操作指示が、ユーザ操作に起因するものか否かを判断する。すなわち、レコーダー８００に対するユーザ操作がなされたか否かを判断する（ステップＳ４０６）。
【０１７１】
ステップＳ４０６において、「ユーザ操作がなされた」と判断された場合（ステップＳ４０６：Ｙｅｓ）、リセット部１０３５により、タイマ１０３０がこれまでに計測していた不操作時間をクリアする（ステップＳ４０７）。そして、レコーダー８００は、処理をステップＳ４０２へ戻す。一方、ステップＳ４０６において、「ユーザ操作がなされていない」と判断された場合（ステップＳ４０６：Ｎｏ）、レコーダー８００は、処理をステップＳ４０８へ進める。
【０１７２】
ステップＳ４０８では、アラート発生部１０４０が、タイマ１０３０が計測している不操作時間が、設定時間を超えたかを判断する（ステップＳ４０８）。ステップＳ４０８において、「不操作時間が設定時間を超えた」と判断された場合（ステップＳ４０８：Ｙｅｓ）、アラート発生部１０４０は、アラートを発信する（ステップＳ４０９）。そして、レコーダー８００は、監視処理を終了する。ここで、レコーダー８００は監視処理を終了せずに、ステップＳ４０１以降の処理を繰り返し行うようにしても良い。一方、ステップＳ４０８において、「不操作時間が設定時間を超えていない」と判断された場合（ステップＳ４０８：Ｎｏ）、レコーダー８００は、処理をステップＳ４０２へ戻す。
【０１７３】
（判断処理の具体例）
ここで、判断部１０２０による判断処理の具体例を説明する。図１１は、実施形態２に係るレコーダー８００が扱う判断情報の一例を示す図である。レコーダー８００の判断情報記憶部１０５０には、図５，６に示した判断情報５０２，５０４に加えて、図１１に示す判断情報５０６が格納されている。判断部１０２０は、これらの判断情報に基づいて、レコーダー８００に対してなされた操作指示が、ユーザ操作に起因するものか否かを判断する。
【０１７４】
図１１に示す判断情報５０６は、外部機器制御部１００４によって受信される複数の操作指示の各々について、当該操作指示がユーザ操作に起因するものか否かを判断するためのものである。この判断情報５０６は、外部機器制御部１００４によって受信された操作指示が、ユーザ操作に起因するものか否かを判断する際に、判断部１０２０によって参照されるものである。この判断情報５０６は、「制御信号」欄と、「ユーザ操作」欄とを含んでいる。
【０１７５】
「制御信号」欄には、外部機器制御部１００４が外部機器から受信する制御信号が設定される。例えば、図１１に示す例では、判断情報５０６の「制御信号」欄には、外部機器制御部１００４が外部機器から受信する制御信号として、「Ｒｅｍｏｔｅ  Ｃｏｎｔｒｏｌ  Ｐａｓｓ  Ｔｈｒｏｕｔｈ」、「Ｄｅｖｉｃｅ  Ｍｅｎｕ  Ｃｏｎｔｒｏｌ」、「Ｏｎｅ  Ｔｏｕｃｈ  Ｐｌａｙ」、「Ｓｙｓｔｅｍ  Ｉｎｆｏｒｍａｔｉｏｎ」、および「Ｇｉｖｅ  Ｄｅｖｉｃｅ  Ｐｏｗｅｒ  Ｓｔａｔｕｓ」が設定されている。
【０１７６】
これらの制御信号はＨＤＭＩ規格で規定されている、相互機器制御を実現するためのＣＥＣ（Consumer Electronics Control）制御信号である。
【０１７７】
例えば、制御信号「Ｒｅｍｏｔｅ  Ｃｏｎｔｒｏｌ  Ｐａｓｓ  Ｔｈｒｏｕｔｈ」は、テレビ１００等の外部機器のリモコン操作により、外部機器を介して、レコーダー８００の遠隔操作を行うためのものである。
【０１７８】
また、制御信号「Ｄｅｖｉｃｅ  Ｍｅｎｕ  Ｃｏｎｔｒｏｌ」は、テレビ１００等の外部機器のリモコン操作により、外部機器を介して、レコーダー８００のメニュー操作を行うためのものである。
【０１７９】
また、制御信号「Ｏｎｅ  Ｔｏｕｃｈ  Ｐｌａｙ」は、テレビ１００等の外部機器におけるコンテンツの再生に連動して、レコーダー８００の起動および入力切替を行うためのものである。
【０１８０】
また、制御信号「Ｓｙｓｔｅｍ  Ｉｎｆｏｒｍａｔｉｏｎ」は、再生時間やチャプター番号等の外部機器の画面表示を、レコーダー８００に表示させるためのものである。
【０１８１】
また、制御信号「Ｇｉｖｅ  Ｄｅｖｉｃｅ  Ｐｏｗｅｒ  Ｓｔａｔｕｓ」は、テレビ１００等外部機器から、レコーダー８００の電源がＯＮになっているかを確認するためのものである。
【０１８２】
一方、「ユーザ操作」欄には、制御信号毎に、当該制御信号がユーザ操作に起因して発せられたものか否かを識別するための識別情報が設定される。判断情報５０６において、「ユーザ操作」欄に“○”が設定されている制御信号は、当該制御信号がユーザ操作に起因して発せられたものであることを示す。一方、判断情報５０６において、「ユーザ操作」欄に“×”が設定されている制御信号は、当該操作がユーザ操作に起因して発せられたものではないことを示す。
【０１８３】
例えば、判断情報５０６において、制御信号「Ｒｅｍｏｔｅ  Ｃｏｎｔｒｏｌ  Ｐａｓｓ  Ｔｈｒｏｕｔｈ」，「Ｄｅｖｉｃｅ  Ｍｅｎｕ  Ｃｏｎｔｒｏｌ」，「Ｏｎｅ  Ｔｏｕｃｈ  Ｐｌａｙ」に対しては、「ユーザ操作」欄に“○”が設定されている。これにより、制御信号「Ｒｅｍｏｔｅ  Ｃｏｎｔｒｏｌ  Ｐａｓｓ  Ｔｈｒｏｕｔｈ」，「Ｄｅｖｉｃｅ  Ｍｅｎｕ  Ｃｏｎｔｒｏｌ」，「Ｏｎｅ  Ｔｏｕｃｈ  Ｐｌａｙ」のいずれかの制御信号を外部機器制御部１００４がテレビ１００等の外部機器から受信した場合、判断部３２０は、この制御信号が、外部機器に対するユーザ操作に起因して、この外部機器から発信されたものであると判断する。すなわち、判断部３２０は、ユーザ操作が行われたと判断する。
【０１８４】
一方、判断情報５０６において、制御信号「Ｓｙｓｔｅｍ  Ｉｎｆｏｒｍａｔｉｏｎ」，「Ｇｉｖｅ  Ｄｅｖｉｃｅ  Ｐｏｗｅｒ  Ｓｔａｔｕｓ」に対しては、「ユーザ操作」欄に“×”が設定されている。これにより、制御信号「Ｓｙｓｔｅｍ  Ｉｎｆｏｒｍａｔｉｏｎ」，「Ｇｉｖｅ  Ｄｅｖｉｃｅ  Ｐｏｗｅｒ  Ｓｔａｔｕｓ」のいずれかの制御信号を外部機器制御部１００４がテレビ１００等の外部機器から受信した場合、判断部３２０は、この制御信号が、外部機器に対するユーザ操作に起因して、この外部機器から発信されたものではないと判断する。すなわち、判断部３２０は、ユーザ操作が行われていないと判断する。
【０１８５】
このように、本実施形態のレコーダー８００は、当該レコーダー８００に対する複数の操作指示の各々について、当該操作指示が当該レコーダー８００のユーザが行ったユーザ操作に起因するか否かを判断するための判断情報５０２，５０６，５０４を判断情報記憶部１０５０に記憶させておく。
【０１８６】
そして、選局部１００１に対する操作指示、外部機器からの操作指示、またはネットワーク機器からの操作指示がなされた場合、上記判断情報に基づいて、当該操作指示が、当該レコーダー８００のユーザが行ったユーザ操作に起因するか否かを判断する。
【０１８７】
さらに、ユーザ操作に起因する操作指示がなされたと判断された場合にはタイマの計測時間をリセットし、ユーザ操作に起因する操作指示がなされたと判断されずに、タイマの計測時間が設定時間を経過した場合、警告情報を発する構成を採用している。
【０１８８】
これにより、本実施形態のレコーダー８００によれば、当該レコーダー８００に対してなされた様々な操作指示について、より適確に、当該操作指示がユーザ操作に起因するものか否かを判断することができる。すなわち、レコーダー８００において、当該レコーダー８００が備える入力装置以外による操作がなされた場合であっても、ユーザによる操作が行われたか否かを、より適確に判断することでき、より適確に警告情報を発することができる。
【０１８９】
（実施形態３）
次に、本発明に係る監視システムの実施形態３について説明する。実施形態１および２では、１つの装置によって監視機能（監視部、判断情報記憶部、判断部、タイマ、およびアラート発生部）を実現する構成とした。具体的には、実施形態１では、テレビ１００によって監視機能を実現する構成とした。また、実施形態２では、レコーダー８００によって監視機能を実現する構成とした。これに限らず、複数の装置によって、監視機能を実現する構成としても良い。要するに、各実施形態で説明した監視機能は、少なくとも監視システム全体として実現されていれば良い。すなわち、実施形態で説明した監視機能は、どのような装置によって実現されても良く、その装置数も問わない。
【０１９０】
実施形態３では、実施形態１の構成を変形して、テレビ１００と通知サーバ１１０との各々を監視装置として機能させることにより、テレビ１００と通知サーバ１１０とによって監視機能を実現する構成を説明する。なお、以降の説明において、前述した構成要素と同一の構成要素、すなわち、実施形態１からの変更が無い構成要素については、実施形態１と同一の参照符号を付し、その詳細については省略する。
【０１９１】
（監視システム３０のシステム構成）
図１２は、実施形態３に係る監視システムのシステム構成を示す図である。図１２に示す監視システム３０は、テレビ１００、通知サーバ１１００、および通知先端末１２０を備える。テレビ１００、通知サーバ１１００、および通知先端末１２０のそれぞれは、インターネットやホームネットワーク等の、ネットワーク１３０に接続されている。テレビ１００および通知先端末１２０は、実施形態１のものと同様である。
【０１９２】
通知サーバ１１００（第２の装置）は、テレビ１００（第１の装置）に対するユーザの操作を監視する監視機能を有している。具体的には、通知サーバ１１００は、テレビ１００に対する操作を監視する。そして、通知サーバ１１００は、予め設定された時間の間、テレビ１００に対する操作が行われたか否かによって、監視対象者（すなわち、テレビ１００のユーザ）に異常が生じたか否かを判断する。通知サーバ１１００は、監視対象者に異常が生じたと判断すると、アラートを発する。この例では、通知サーバ１１００は、アラートを、当該通知サーバ１１００内部に発生させる。そして、通知サーバ１１００は、当該通知サーバ１１００内部でアラートが発生すると、テレビ１００に予め対応付けられているメールアドレスに対して、アラートメールを送信する。この例では、テレビ１００には、通知先端末１２０のメールアドレスが予め対応付けられている。したがって、通知サーバ１１００は、当該通知サーバ１１００内部でアラートが発生すると、上記アラートメールを通知先端末１２０へ送信する。これにより、通知対象者は、通知先端末１２０に送られてきたアラートメールによって、監視対象者に何らかの異常が生じたことを知ることができる。
【０１９３】
（テレビ１００および通知サーバ１１００の機能）
ここで、テレビ１００および通知サーバ１１００の機能構成について説明する。図１３は、実施形態３に係るテレビ１００および通知サーバ１１００の機能構成を示すブロック図である。図１３に示すように、実施形態３のテレビ１００は、実施形態１のテレビ１００と同様に、選局部３０１、視聴予約部３０２、録画予約部３０３、外部機器制御部３０４、およびネットワーク制御部３０６を備えている。また、実施形態３のテレビ１００は、実施形態１のテレビ１００と同様に、監視機能として、監視部３１０を備える。
【０１９４】
しかしながら、実施形態３のテレビ１００は、通信部３１８を備える点で、実施形態１のテレビ１００と相違する。通信部３１８（送信部）は、テレビ１００に対して、検出対象とされた複数の操作指示のうちのいずれかの操作指示がなされたことを監視部３１０が検出すると、少なくとも検出された制御信号を識別可能な制御信号を、通知サーバ１１００へ送信する。すなわち、実施形態３のテレビ１００は、監視部３１０が検出した操作指示が、ユーザ操作に起因するものであるかを自ら判断せずに、通知サーバ１１００に判断させる構成を採用している。例えば、テレビ１００においては、図２に示した通信インターフェース２２０が、通信部３１８として機能する。
【０１９５】
さらに、実施形態３のテレビ１００は、監視部３１０に外部機器制御監視部３１４が設けられている点で、実施形態１のテレビ１００と相違する。
外部機器制御監視部３１４は、実施形態２（図９）で説明したレコーダー８００が備える外部機器制御監視部１０１４と同様に機能する。
【０１９６】
すなわち、実施形態３のテレビ１００は、外部機器制御監視部３１４により、外部機器制御部３０４がレコーダー１５２等の外部機器から受信した制御信号を監視することとした。これにより、実施形態３のテレビ１００は、テレビ１００に接続されたレコーダー１５２等の外部機器からの遠隔操作についても、所定の操作指示がなされたかを検出することを可能としている。
【０１９７】
一方、通知サーバ１１００は、監視機能として、通信部１２１０、判断部１２２０、タイマ１２３０、リセット部１１３５、アラート発生部１２４０、判断情報記憶部１２５０、およびアラートメール送信部１２６０を備える。通信部１２１０は、テレビ１００の通信部３１８から送信された制御信号を受信する。
【０１９８】
判断情報記憶部１２５０は、テレビ１００の監視部３１０による検出対象とされた複数の操作指示の各々について、当該操作指示がテレビ１００のユーザが行ったユーザ操作に起因するものか否かを判断するための判断情報を記憶する。例えば、通知サーバ１１００においては、当該通知サーバ１１００が備える各種メモリ等が、判断情報記憶部１２５０として機能する。
【０１９９】
判断部１２２０は、テレビ１００の通信部３１８から送信された制御信号を通信部１２１０（受信部）が受信すると、受信した制御信号によって識別される操作指示が、ユーザ操作に起因するものか否かを判断する。
【０２００】
具体的には、上記したとおり、判断情報記憶部１２５０には、テレビ１００の監視部３１０による検出対象とされた複数の操作指示の各々について、当該操作指示がユーザ操作に起因するものか否かを判断するための判断情報が格納されている。そこで、判断部１２２０は、テレビ１００の通信部３１８から送信された制御信号を通信部１２１０が受信すると、この判断情報に基づいて、受信した制御信号によって識別される操作指示が、ユーザ操作に起因するものか否かを判断する。例えば、通知サーバ１１００においては、当該通知サーバ１１００が備えるＣＰＵが、判断部１２２０として機能する。
【０２０１】
タイマ１２３０は、ユーザ操作に起因する操作指示であると判断部１２２０が判断しなかった時間、すなわち、不操作時間を計測する。例えば、通知サーバ１１００においては、当該通知サーバ１１００が備えるＣＰＵが、タイマ１２３０として機能する。
【０２０２】
リセット部１１３５は、タイマ１２３０が不操作時間を計測している間に、ユーザ操作が行われると、タイマ１２３０がこれまで計測していた不操作時間をクリアして、タイマ１２３０に対して不操作時間の計測を再開させる。例えば、通知サーバ１１００においては、当該通知サーバ１１００が備えるＣＰＵが、リセット部１１３５として機能する。
【０２０３】
アラート発生部１２４０は、タイマ１２３０が計測している不操作時間が設定時間に達すると、通知サーバ１１００内部にアラートを発する。すなわち、アラート発生部１２４０は、テレビ１００に対してユーザ操作が行われずに、設定時間が経過した場合、通知サーバ１１００内部にアラートを発する。ここで、設定時間は、テレビ１００に対して予め設定されているものであり、通知サーバ１１００が備える各種メモリ等に予め格納されている。設定時間には、ユーザが任意のものを設定することができる。例えば、通知サーバ１１００においては、当該通知サーバ１１００が備えるＣＰＵが、アラート発生部１２４０として機能する。
【０２０４】
アラートメール送信部１２６０は、通知サーバ１１００内部でアラートが発生すると、テレビ１００に予め対応付けられているメールアドレスに対して、アラートメールを送信する。例えば、通知サーバ１１００においては、当該通知サーバ１１００が備える通信インターフェースが、当該通知サーバ１１００が備えるＣＰＵによって制御されることにより、アラート発生部１２４０として機能する。
【０２０５】
（監視処理の手順）
図１４は、実施形態３に係るテレビ１００および通知サーバ１１００による監視処理の手順を示すシーケンス図である。ここでは、既に、図５、図６、および図１３に示した各判断情報が、判断情報記憶部１２５０に格納されているものとして説明する。また、既に、テレビ１００の監視部３１０による、選局部３０１、外部機器制御部３０４、およびネットワーク制御部３０６の監視が開始されているものとして説明する。
【０２０６】
まず、通知サーバ１１００において、タイマ１２３０が、不操作時間の計測を開始する（ステップＳ１３０１）。
【０２０７】
そして、テレビ１００において、選局部３０１に対する操作指示がなされたことを、選局監視部３１２が検出すると（ステップＳ１３０２）、通信部３１８が、検出された操作指示を識別可能な制御信号を、通知サーバ１１００へ送信する（ステップＳ１３０３）。
【０２０８】
また、テレビ１００において、外部機器からの操作指示を外部機器制御部３０４が受信したことを、外部機器制御監視部３１４が検出すると（ステップＳ１３０４）、通信部３１８が、検出された操作指示を識別可能な制御信号を、通知サーバ１１００へ送信する（ステップＳ１３０５）。
【０２０９】
また、テレビ１００において、ネットワーク機器からの操作指示をネットワーク機器制御部３０６が受信したことを、ネットワーク制御監視部３１６が検出すると（ステップＳ１３０６）、通信部３１８が、検出された操作指示を識別可能な制御信号を、通知サーバ１１００へ送信する（ステップＳ１３０７）。
【０２１０】
通知サーバ１１００において、テレビ１００の通信部３１８から送信された制御信号を、通信部１２１０が受信すると（ステップＳ１３０８）、判断部１２２０が、受信された制御信号によって識別される操作指示がユーザ操作に起因するものか否か、すなわちユーザ操作がなされたか否かを判断する（ステップＳ１３０９）。
【０２１１】
ステップＳ１３０９において、「ユーザ操作がなされた」と判断された場合（ステップＳ１３０９：Ｙｅｓ）、リセット部１１３５により、タイマ１２３０がこれまでに計測していた不操作時間をクリアする（ステップＳ１３１０）。そして、タイマ１２３０が、不操作時間の計測を再開し（ステップＳ１３１１）、通知サーバ１１００は、引き続き、テレビ１００からの制御信号が送信されてくるのを待機する。一方、ステップＳ１３０９において、「ユーザ操作がなされていない」と判断された場合（ステップＳ１３０９：Ｎｏ）、アラート発生部１２４０が、タイマ１２３０が計測している不操作時間が、設定時間を超えたかを判断する（ステップＳ１３１２）。
【０２１２】
ステップＳ１３１２において、「不操作時間が、設定時間を超えた」と判断された場合（ステップＳ１３１２：Ｙｅｓ）、アラート発生部１２４０が、アラートを発する（ステップＳ１３１３）。そして、アラートメール送信部１２６０が、アラートメールを送信する（ステップＳ１３１４）する。一方、ステップＳ１３１２において、「不操作時間が、設定時間を超えていない」と判断された場合（ステップＳ１３１２：Ｎｏ）、通知サーバ１１００は、引き続き、テレビ１００からの制御信号が送信されてくるのを待機する。
【０２１３】
このように、テレビ１００と通知サーバ１１００とによって実現される監視機能は、実施形態１で説明したテレビ１００が有する監視機能と同様である。
【０２１４】
すなわち、本実施形態の通知サーバ１１００は、実施形態１のテレビ１００と同様に、テレビ１００に対する複数の操作指示の各々について、当該操作指示がテレビ１００のユーザが行ったユーザ操作に起因するか否かを判断するための判断情報を判断情報記憶部１２５０に記憶させておく。
【０２１５】
そして、テレビ１００に対して、選局部３０１に対する操作指示、外部機器からの操作指示、またはネットワーク機器からの操作指示がなされた場合、通知サーバ１１００は、上記判断情報に基づいて、当該操作指示が、テレビ１００のユーザが行ったユーザ操作に起因するか否かを判断する。
【０２１６】
さらに、通知サーバ１１００は、ユーザ操作に起因する操作指示がなされたと判断されずに、設定時間が経過した場合、警告情報を発する構成を採用している。
【０２１７】
これにより、本実施形態のテレビ１００および通知サーバ１１００によれば、当該テレビ１００に対してなされた様々な操作指示について、より適確に、当該操作指示がユーザ操作に起因するものか否かを判断することができる。すなわち、テレビ１００において、当該テレビ１００が備える入力装置以外による操作がなされた場合であっても、ユーザによる操作が行われたか否かを、より適確に判断することでき、より適確に警告情報を発することができる。
【０２１８】
（プログラム、記憶媒体）
各実施形態で説明した監視装置（テレビ１００、レコーダー８００、および通知サーバ１１００）の各ブロックは、集積回路（ＩＣチップ）上に形成された論理回路によってハードウェア的に実現してもよいし、ＣＰＵ（Central Processing Unit）を用いてソフトウェア的に実現してもよい。
【０２１９】
その具体例を示すと、監視装置は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）等を備えている。そして、本発明の目的は、上述した機能を実現するソフトウェアである監視装置の制御プログラムのプログラムコード（実行形式プログラム、中間コードプログラム、ソースプログラム）をコンピュータで読み取り可能に記録した記録媒体を、監視装置に供給し、そのコンピュータ（またはＣＰＵやＭＰＵ）が記録媒体に記録されているプログラムコードを読み出し実行することによっても、達成可能である。
【０２２０】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類等を用いることができる。
【０２２１】
また、上記プログラムコードは、通信ネットワークを介して監視装置に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ、携帯電話網、衛星回線、地上波デジタル網等の無線でも利用可能である。
【０２２２】
（実施形態４）
次に、本発明に係る監視システムの実施形態４について説明する。実施形態１〜３では、リセット部は、タイマが不操作時間を計測している間に、ユーザ操作が行われると、タイマがこれまで計測していた不操作時間をクリアすることにより、タイマがこれまで計測していた不操作時間と、設定時間との差を拡大することとした。上記差を拡大する方法は、これに限らない。すなわち、上記差を拡大する方法としては、ユーザ操作が行われると、アラートを発するタイミングが延期される構成であれば、どのような構成を採用しても良い。
【０２２３】
例えば、この実施形態４では、タイマが不操作時間を計測している間に、ユーザ操作が行われると、リセット部は、不操作時間をクリアせずに、不操作時間の計測をそのまま続け、設定時間を延長することで、上記差を拡大する。例えば、設定時間として「６時間」が設定されている場合において、タイマによる不操作時間が「５時間」を経過したとする。この時に、機器に対してある制御信号が入力され、当該制御信号がユーザの操作に起因するものであると判断された場合、実施形態１〜３では、設定時間をそのままに、不操作時間をリセットすることとしたが、実施形態４では、不操作時間をリセットせず、設定時間を「１１時間」に延長するのである。いずれの場合も、不操作時間と、設定時間との差が、「１時間」から「６時間」に拡大されたことに変わりはない。
【０２２４】
（実施形態５）
次に、本発明に係る監視システムの実施形態５について説明する。実施形態１〜３では、タイマによる不操作時間の計測の開始タイミングおよび終了タイミングまでは規定していなかった。この実施形態５では、タイマによる不操作時間の計測の開始タイミング（予め設定された時刻）および終了タイミング（予め設定された別の時刻）を規定している。具体的には、この実施形態５では、タイマは、時刻情報を用い、ある特定の時刻からの、不操作時間を計測する。例えば、タイマは、ある日の午前６時００分（開始タイミング）から、不操作時間を計測する。その後、同日の午後２３時５９分（終了タイミング）までの間に、ある機器に対するユーザ操作がなされていない場合、警告情報を発し、この時間内に機器に対してある制御信号が入力された場合、当該制御信号が、前記ユーザの操作に起因するものか否かを判断し、入力された制御信号がユーザの操作に起因するものであると判断された場合、警告情報は発しないようにする。すなわち、設定時間として「１８時間」を設定したのと同じことになる。この場合、同日の午後２３時５９分を経過した後は、タイマは、不操作時間の計測を終了するようにしても良く、引き続き、不操作時間を計測するようにしても良い。
【０２２５】
（変形例）
なお、ここで開示された実施形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【０２２６】
すなわち、監視システムの構成は、少なくとも、監視システム全体として「ある機器に対するユーザ操作がなされていない時間を計測し、計測時間が予め設定された時間を経過した場合、警告情報を発し、機器に対してある制御信号が入力された場合、当該制御信号が、前記ユーザの操作に起因するものか否かを判断し、入力された制御信号がユーザの操作に起因するものであると判断された場合、計測時間をリセットする」という機能を実現することができるものであれば、各実施形態で説明したものに限らず、実施形態で説明したシステム構成に多様な変更を加えて実施するようにしても良い。
【０２２７】
例えば、各実施形態では、テレビ受像機および録画再生機器を監視装置として採用する例を説明したが、監視装置は、これらに限らない。監視装置としては、通信機能を有するものであれば良く、パーソナル・コンピュータ、携帯端末装置等の各種情報処理装置や、テレビ、ラジオ、各種再生機器、カメラ、電話機、ファックス、プリンタ、冷蔵庫、洗濯機、照明器具、空調機、各種電気製品等、どのような装置を採用しても良い。
【０２２８】
また、各実施形態では、アラートが発せられると、通知サーバがアラートメールを送信する構成を採用したが、これに限らない。例えば、監視装置（例えば、テレビ１００やレコーダー８００）においてアラートが発せられると、当該監視装置が自ら、アラートメールを送信するように構成しても良い。
【０２２９】
また、各実施形態では、アラートが発せられると、通知サーバがアラートメールを送信することにより、何らかの異常を通知対象者に通知する構成を採用したが、これに限らない。例えば、アラートが発せられると、監視システムを構成する何らかの装置により、警告情報を表示または印刷したり、警告音を発したり、警告ランプを発行させたり、所定の電話番号に電話をかけたり、ファックスを送信する等、他の通知方法により、何らかの異常を通知対象者に通知する構成を採用しても良い。また、緊急性を有さない目的で実施する場合は、アラートが発せられた場合でも、直ぐに通知対象者に通知せず、これを何らかの記憶媒体に記録しておくなどして、後に通知または参照できる構成を採用しても良い。
【０２３０】
また、監視装置と外部機器とを接続するための外部機器インターフェースは、ＨＤＭＩに限らない。例えば、外部機器インターフェースは、ｉ．ＬＩＮＫ等、他の外部機器インターフェースを採用しても良い。要するに、外部機器インターフェースとしては、外部機器との接続が可能であり、かつ外部機器からの遠隔操作が可能なものであれば、どのようなものを採用しても良い。
【０２３１】
また、監視装置とネットワーク機器とを接続するための通信インターフェースは、ＬＡＮインターフェースに限らず、他の通信インターフェースを採用しても良い。要するに、通信インターフェースとしては、ネットワーク１３０との接続が可能であり、かつネットワーク１３０に接続されたネットワーク機器からの遠隔操作が可能なものであれば、どのようなものを採用しても良い。
【０２３２】
また、各実施形態では、監視装置の遠隔操作が可能な外部機器として、レコーダー１５２およびテレビ１００を採用しているが、本発明はこれに限定されない。外部機器には、監視装置との接続が可能であり、かつ監視装置の遠隔操作が可能なものであれば、どのようなものを採用しても良い。
【０２３３】
また、各実施形態では、ネットワーク１３０に接続され、かつ監視装置の遠隔操作が可能なネットワーク機器として、パーソナル・コンピュータ１５４および携帯電話１５６を採用しているが、本発明はこれに限定されない。ネットワーク機器には、ネットワーク１３０との接続が可能であり、かつ監視装置の遠隔操作が可能なものであれば、どのようなものを採用しても良い。
【０２３４】
また、各実施形態では、外部機器からの遠隔操作は、ＨＤＭＩ規格のＣＥＣ制御信号によるものとしたが、これに限らない。外部機器からの遠隔操作は、これ以外の制御信号によるものであっても良く、この場合も同様に、外部機器をユーザが操作したことにより、外部機器から送信されてきた制御信号を受信した場合には、ユーザ操作が行われたと判断されるように、判断情報を設定すれば良い。
【０２３５】
また、各実施形態では、ネットワーク機器からの遠隔操作は、ＩＰコントロール信号によるもの、およびＤＬＮＡコントロール信号によるものとしたが、これに限らない。ネットワーク機器からの遠隔操作は、これ以外の制御信号によるものであっても良く、この場合も同様に、ネットワーク機器をユーザが操作したことにより、ネットワーク機器から送信されてきた制御信号を受信した場合には、ユーザ操作が行われたと判断されるように、判断情報を設定すれば良い。
【０２３６】
また、各実施形態では、判断情報５０２，５０６，５０４として、ユーザ操作に起因するものであると判断すべき制御信号と、ユーザ操作に起因するものであると判断すべきではない制御信号との双方を設定し、各制御信号について、ユーザ操作に起因するものであると判断するか否かを判断するための情報（“○”及び“×”）を設定するようにした。これに限らず、少なくとも、監視装置に対してなされた制御指示が、ユーザ操作に起因するものであるか否かを判断することができるものであれば、どのような記憶媒体に格納されていても良く、どのようなデータ形式で格納されていても良く、どのようなデータ構造を有していても良い。例えば、各判断情報として、ユーザ操作に起因するものであると判断する操作指示のみが設定されているものを採用しても良い。このような判断情報を採用した場合であっても、判断情報に設定されていない制御指示については、ユーザ操作に起因するものでないと判断すれば良いから、監視装置に対してなされた制御指示が、ユーザ操作に起因するものであるか否かを判断することができる。
【０２３７】
また、各実施形態では、何らかのＩＰコントロール信号をネットワーク機器から受信した場合に、ユーザ操作が行われたと判断できるように、判断情報５０４の「制御信号」欄に対して、「ＩＰコントロール信号」と設定するようにした。この変形例として、特定のＩＰコントロール信号した場合に、ユーザ操作が行われたと判断できるように、判断情報５０４のに「制御信号」欄に対して、特定のＩＰコントロール信号の名称等を設定するようにしても良い。
【０２３８】
また、実施形態１ではテレビ１００に対して、当該テレビ１００のユーザ操作を監視する監視装置としての機能を設けたが、テレビ１００に接続された外部機器あるいはネットワーク機器に対して、テレビ１００のユーザ操作を監視する監視装置としての機能を設けるように構成しても良い。
【０２３９】
また、実施形態２ではレコーダー８００に対して、当該レコーダー８００のユーザ操作を監視する監視装置としての機能を設けたが、レコーダー８００に接続された外部機器あるいはネットワーク機器に対して、レコーダー８００のユーザ操作を監視する監視装置としての機能を設けるように構成しても良い。
【０２４０】
また、実施形態３ではテレビ１００および通知サーバ１１００に対して、当該テレビ１００のユーザ操作を監視する監視装置としての機能を設けたが、テレビ１００または通知サーバ１１００に接続された外部機器あるいはネットワーク機器に対して、テレビ１００のユーザ操作を監視する監視装置としての機能を設けるように構成しても良い。
【０２４１】
また、実施形態１〜５では、監視対象者に異常が無い場合には、通知対象者に何も通知せず、監視対象者に異常が有った場合に、通知対象者に警告情報を通知することとしている。これに代えて、もしくは、これに加えて、監視対象者に異常が無い場合に、その旨を示す安全情報を、通知対象者に通知するように、各実施形態の構成を変形しても良い。
【０２４２】
例えば、監視システムに発生手段を設け、ユーザ操作が行われたと判断された場合には、監視対象者に異常が無いと考えられるから、このタイミングで発生手段が安全情報を発し、通知対象者に通知するようにしても良い。他の例として、所定期間毎に監視対象者に異常があるか否かを判断し、その期間内にユーザ操作が行われたと判断された場合には、その期間終了後、発生手段が安全情報を発し、通知対象者に通知するようにしても良い。
【０２４３】
このような構成を採用した場合でも、監視対象者に異常が生じたか否かを、監視対象者に対して適確に把握させることができる。なお、この場合、監視対象者に異常が無い場合には、単に異常が無い旨を示す安全情報を通知対象者に通知するようにしても良く、ユーザの操作の内容を示す情報等を含んだ安全情報を通知対象者に通知するようにしても良い。後者の場合、通知対象者は、通知された安全情報に基づいて、監視対象者の生活動向をより正確に把握することが可能になる。
【産業上の利用可能性】
【０２４４】
本発明は、ある機器に対するユーザ操作を監視し、監視対象者に何らかの異常が生じた場合に、警告情報を発するようにした監視装置、テレビジョン受像機、監視システム、監視方法、監視プログラム、および監視プログラムを記録している記録媒体に適用することができる。
【符号の説明】
【０２４５】
１０  監視システム
１００  テレビ
１１０  通知サーバ
１２０  通知先端末
１３０  ネットワーク
１５２  レコーダー
１５４  パーソナル・コンピュータ
１５６  携帯電話
３０１  選局部
３０２  視聴予約部
３０３  録画予約部
３０４  外部機器制御部
３０６  ネットワーク制御部
３１０  監視部
３１２  選局監視部
３１４  外部機器制御監視部
３１６  ネットワーク制御監視部
３２０  判断部
３３０  タイマ
３３５  リセット部
３４０  アラート発生部
３５０  判断情報記憶部
５０２  判断情報
５０４  判断情報
５０６  判断情報
【図１】
0005670211.tif 000002
【図２】
0005670211.tif 000003
【図３】
0005670211.tif 000004
【図４】
0005670211.tif 000005
【図５】
0005670211.tif 000006
【図６】
0005670211.tif 000007
【図７】
0005670211.tif 000008
【図８】
0005670211.tif 000009
【図９】
0005670211.tif 000010
【図１０】
0005670211.tif 000011
【図１１】
0005670211.tif 000012
【図１２】
0005670211.tif 000013
【図１３】
0005670211.tif 000014
【図１４】
0005670211.tif 000015